(57)【要約】【課題】２重音声のみ又は２重音声とステレオ音声とからなるリニアＰＣＭ音声データを含むＶＲ規格のＡＶストリームをビデオ規格のＡＶストリームへ高速に変換する。【解決手段】音声データ抽出部２１３と入力音声判定部２１６とで入力ＡＶストリームから２重音声の音声データを抽出して、２重音声選択部２１５で予め設定された音声選択方法又は演算方法に従い、抽出した音声データの主音声データと副音声データとのうちいずれかを選択し、又は、主音声データと副音声データとの間で演算し、選択又は演算により得られた同じ音声データを主及び副音声データの両方に音声データ変換部２１４で設定し、ステレオ音声のリニアＰＣＭ音声データに変換した後、ＲＤＩヘッダをＮＶヘッダにＲＤＩ→ＮＶ変換部２１２で変換し、管理情報を付加してデータ記録媒体に記録する。２重音声選択部２１５は予め定めた標準的な方法以外にユーザが設定した任意の方法を選択できる。【選択図】図２
2006115247.tif 000002
【特許請求の範囲】
【請求項１】
２重音声のリニアＰＣＭ音声データを含むデータを入力して２重音声のリニアＰＣＭ音声データを変換するデータ変換部と、該データ変換部から出力されたデータをデータ記録媒体に記録する記録媒体記録部とを備えたデータ変換装置であって、前記データ変換部に入力された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択部を備え、前記データ変換部が、前記２重音声選択部の選択結果に基づいて、２重音声のリニアＰＣＭ音声データを構成する主音声データ又は副音声データのいずれかを選択し、選択された音声データにより、選択されていない副音声データ又は主音声データを入れ替えて設定して、ステレオ音声のリニアＰＣＭ音声データとして変換することを特徴とするデータ変換装置。
【請求項２】
２重音声のリニアＰＣＭ音声データを含むデータを入力して２重音声のリニアＰＣＭ音声データを変換するデータ変換部と、該データ変換部から出力されたデータをデータ記録媒体に記録する記録媒体記録部とを備えたデータ変換装置であって、前記データ変換部に入力された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択部を備え、前記データ変換部が、前記２重音声選択部の選択結果に基づいて、２重音声のリニアＰＣＭ音声データを構成する主音声データと副音声データとの間の演算処理を行ない、演算された音声データにより、主音声データと副音声データとの両方を入れ替えて設定して、ステレオ音声のリニアＰＣＭ音声データとして変換することを特徴とするデータ変換装置。
【請求項３】
２重音声とステレオ音声とのリニアＰＣＭ音声データを混在して含むデータを入力して２重音声のリニアＰＣＭ音声データを変換するデータ変換部と、該データ変換部から出力されたデータをデータ記録媒体に記録する記録媒体記録部とを備えたデータ変換装置であって、前記データ変換部に入力された音声データの中から、２重音声とステレオ音声とを判別する入力音声判別部と、該入力音声判別部により判別された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択部とを備え、前記データ変換部が、前記入力音声判別部においてステレオ音声と判別されたリニアＰＣＭ音声データは、データ変換せずにそのまま出力し、前記入力音声判別部において２重音声と判別されたリニアＰＣＭ音声データは、前記２重音声選択部の選択結果に基づいて、２重音声のリニアＰＣＭ音声データを構成する主音声データ又は副音声データのいずれかを選択し、選択された音声データにより、選択されていない副音声データ又は主音声データを入れ替えて設定して、ステレオ音声のリニアＰＣＭ音声データとして変換することを特徴とするデータ変換装置。
【請求項４】
２重音声とステレオ音声とのリニアＰＣＭ音声データを混在して含むデータを入力して２重音声のリニアＰＣＭ音声データを変換するデータ変換部と、該データ変換部から出力されたデータをデータ記録媒体に記録する記録媒体記録部とを備えたデータ変換装置であって、前記データ変換部に入力された音声データの中から、２重音声とステレオ音声とを判別する入力音声判別部と、該入力音声判別部により判別された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択部とを備え、前記データ変換部が、前記入力音声判別部においてステレオ音声と判別されたリニアＰＣＭ音声データは、データ変換せずにそのまま出力し、前記入力音声判別部において２重音声と判別されたリニアＰＣＭ音声データは、前記２重音声選択部の選択結果に基づいて、２重音声のリニアＰＣＭ音声データを構成する主音声データと副音声データとの間の演算処理を行ない、演算された音声データにより、主音声データと副音声データとの両方を入れ替えて設定して、ステレオ音声のリニアＰＣＭ音声データとして変換することを特徴とするデータ変換装置。
【請求項５】
請求項１乃至４のいずれかに記載のデータ変換装置であって、前記データ変換部に入力される音声データのデータ形式として、リニアＰＣＭ音声データの他に、該リニアＰＣＭ音声データの種別を含む音声識別情報を構成するヘッダ情報が含まれるデータストリームの形式で入力されるものであり、前記データ変換部においてリニアＰＣＭ音声データを２重音声データからステレオ音声データに変換する際に、前記データストリームに含まれる前記ヘッダ情報の前記音声識別情報を２重音声からステレオ音声を示す情報に変更して設定することを特徴とするデータ変換装置。
【請求項６】
請求項１乃至４のいずれかに記載のデータ変換装置であって、前記データストリームの形式が、ＩＳＯ／ＩＥＣ１３８１８−１規格に規定されたＭＰＥＧ−ＰＳ（Ｐｒｏｇｒａｍ  Ｓｔｒｅａｍ）であることを特徴とするデータ変換装置。
【請求項７】
請求項１乃至５のいずれかに記載のデータ変換装置であって、前記記録媒体記録部が前記データ変換部から出力されたデータをデータ記録媒体に記録する際に、リニアＰＣＭ音声データの他に、該リニアＰＣＭ音声データを管理するための管理情報を付加して記録するものであり、前記データ変換部においてリニアＰＣＭ音声データを２重音声データからステレオ音声データに変換した場合、前記管理情報に該リニアＰＣＭ音声データがステレオ音声である旨を設定することを特徴とするデータ変換装置。
【請求項８】
請求項６又は７に記載のデータ変換装置であって、前記データ変換部に入力されるデータ形式が、ＤＶＤのＶＲ（Ｖｉｄｅｏ  Ｒｅｃｏｒｄｉｎｇ）規格に規定された形式であり、前記データ変換部から出力されて、前記記録媒体記録部がデータ記録媒体に記録するデータ形式が、ＤＶＤのビデオ規格及び／又はＤＶＤのＶＲ規格に規定された形式であることを特徴とするデータ変換装置。
【請求項９】
請求項１乃至８のいずれかに記載のデータ変換装置であって、前記２重音声選択部が、デフォルト状態として予め設定された標準的な音声データの選択方法に基づいて、２重音声のリニアＰＣＭ音声データを構成する主音声データと副音声データとのうちいずれかのリニアＰＣＭ音声データを選択する、又は、該主音声データと該副音声データとの間の演算方法を選択することを特徴とするデータ変換装置。
【請求項１０】
請求項９に記載のデータ変換装置であって、前記２重音声選択部がデフォルト状態として予め設定された標準的な音声データの選択方法として、標準的な等速ダビングにおける音声データの選択方法として予め設定されている選択方法を用いることを特徴とするデータ変換装置。
【請求項１１】
請求項９又は１０に記載のデータ変換装置であって、前記２重音声選択部がデフォルト状態として予め設定された標準的な音声データの選択方法として、標準的な高速ダビングにおける音声データの選択方法として予め設定されている選択方法を用いることを特徴とするデータ変換装置。
【請求項１２】
請求項９乃至１１のいずれかに記載のデータ変換装置であって、前記２重音声選択部がデフォルト状態として予め設定された標準的な音声データの選択方法として、ＡＶ（Ａｕｄｉｏ−Ｖｉｄｅｏ）ストリームに含まれている音声ストリームが２重音声の場合にビデオ規格としてデータ記録媒体に記録する際の標準的なＡＶストリームの選択方法として主音声データ、副音声データのいずれを記録するか、又は、該主音声データと該副音声データとの間でどのような演算を行なった演算結果を記録するかに関して予め設定されている選択方法を用いることを特徴とするデータ変換装置。
【請求項１３】
請求項９乃至１２のいずれかに記載のデータ変換装置であって、前記２重音声選択部がデフォルト状態として予め設定された標準的な音声データの選択方法として、ＡＶ（Ａｕｄｉｏ−Ｖｉｄｅｏ）ストリームに含まれている音声ストリームが２重音声の場合に音声データを再生する際の標準的なＡＶストリームの選択方法として主音声データ、副音声データのいずれを再生するか、又は、該主音声データと該副音声データとの間でどのような演算を行なった演算結果を再生するかに関して予め設定されている選択方法を用いることを特徴とするデータ変換装置。
【請求項１４】
請求項９乃至１３のいずれかに記載のデータ変換装置であって、前記２重音声選択部が、デフォルト状態として予め設定された標準的な音声データの選択方法を用いる代わりに、ユーザが任意に設定した音声データの選択方法を用いることができることを特徴とするデータ変換装置。
【請求項１５】
２重音声のリニアＰＣＭ音声データを含むデータを入力して２重音声のリニアＰＣＭ音声データを変換するデータ変換ステップと、該データ変換ステップで処理されたデータをデータ記録媒体に記録する記録媒体記録ステップとを有するデータ変換方法であって、前記データ変換ステップに入力された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択ステップを有し、前記データ変換ステップが、前記２重音声選択ステップの選択結果に基づいて、２重音声のリニアＰＣＭ音声データを構成する主音声データ又は副音声データのいずれかを選択し、選択された音声データにより、選択されていない副音声データ又は主音声データを入れ替えて設定して、ステレオ音声のリニアＰＣＭ音声データとして変換することを特徴とするデータ変換方法。
【請求項１６】
２重音声のリニアＰＣＭ音声データを含むデータを入力して２重音声のリニアＰＣＭ音声データを変換するデータ変換ステップと、該データ変換ステップで処理されたデータをデータ記録媒体に記録する記録媒体記録ステップと有するデータ変換方法であって、前記データ変換ステップに入力された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択ステップを有し、前記データ変換ステップが、前記２重音声選択ステップの選択結果に基づいて、２重音声のリニアＰＣＭ音声データを構成する主音声データと副音声データとの間の演算処理を行ない、演算された音声データにより、主音声データと副音声データとの両方を入れ替えて設定して、ステレオ音声のリニアＰＣＭ音声データとして変換することを特徴とするデータ変換方法。
【請求項１７】
２重音声とステレオ音声とのリニアＰＣＭ音声データを混在して含むデータを入力して２重音声のリニアＰＣＭ音声データを変換するデータ変換ステップと、該データ変換ステップで処理されたデータをデータ記録媒体に記録する記録媒体記録ステップとを有するデータ変換方法であって、前記データ変換ステップに入力された音声データの中から、２重音声とステレオ音声とを判別する入力音声判別ステップと、該入力音声判別ステップにより判別された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択ステップとを有し、前記データ変換ステップが、前記入力音声判別ステップにおいてステレオ音声と判別されたリニアＰＣＭ音声データは、データ変換せずにそのまま出力し、前記入力音声判別ステップにおいて２重音声と判別されたリニアＰＣＭ音声データは、前記２重音声選択ステップの選択結果に基づいて、２重音声のリニアＰＣＭ音声データを構成する主音声データ又は副音声データのいずれかを選択し、選択された音声データにより、選択されていない副音声データ又は主音声データを入れ替えて設定して、ステレオ音声のリニアＰＣＭ音声データとして変換することを特徴とするデータ変換方法。
【請求項１８】
２重音声とステレオ音声とのリニアＰＣＭ音声データを混在して含むデータを入力して２重音声のリニアＰＣＭ音声データを変換するデータ変換ステップと、該データ変換ステップで処理されたデータをデータ記録媒体に記録する記録媒体記録ステップとを有するデータ変換方法であって、前記データ変換ステップに入力された音声データの中から、２重音声とステレオ音声とを判別する入力音声判別ステップと、該入力音声判別ステップにより判別された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択ステップとを有し、前記データ変換ステップが、前記入力音声判別ステップにおいてステレオ音声と判別されたリニアＰＣＭ音声データは、データ変換せずにそのまま出力し、前記入力音声判別ステップにおいて２重音声と判別されたリニアＰＣＭ音声データは、前記２重音声選択ステップの選択結果に基づいて、２重音声のリニアＰＣＭ音声データを構成する主音声データと副音声データとの間の演算処理を行ない、演算された音声データにより、主音声データと副音声データとの両方を入れ替えて設定して、ステレオ音声のリニアＰＣＭ音声データとして変換することを特徴とするデータ変換方法。
【請求項１９】
請求項１５乃至１８のいずれかに記載のデータ変換方法であって、前記データ変換ステップに入力される音声データのデータ形式として、リニアＰＣＭ音声データの他に、該リニアＰＣＭ音声データの種別を含む音声識別情報を構成するヘッダ情報が含まれるデータストリームの形式で入力されるものであり、前記データ変換ステップにおいてリニアＰＣＭ音声データを２重音声データからステレオ音声データに変換する際に、前記データストリームに含まれる前記ヘッダ情報の前記音声識別情報を２重音声からステレオ音声を示す情報に変更して設定することを特徴とするデータ変換方法。
【請求項２０】
請求項１５乃至１８のいずれかに記載のデータ変換方法であって、前記データストリームの形式が、ＩＳＯ／ＩＥＣ１３８１８−１規格に規定されたＭＰＥＧ−ＰＳ（Ｐｒｏｇｒａｍ  Ｓｔｒｅａｍ）であることを特徴とするデータ変換方法。
【請求項２１】
請求項１５乃至１９のいずれかに記載のデータ変換方法であって、前記記録媒体記録ステップが前記データ変換ステップで処理されたデータをデータ記録媒体に記録する際に、リニアＰＣＭ音声データの他に、該リニアＰＣＭ音声データを管理するための管理情報を付加して記録するものであり、前記データ変換ステップにおいてリニアＰＣＭ音声データを２重音声データからステレオ音声データに変換した場合、前記管理情報に該リニアＰＣＭ音声データがステレオ音声である旨を設定することを特徴とするデータ変換方法。
【請求項２２】
請求項２０又は２１に記載のデータ変換方法であって、前記データ変換方法に入力されるデータ形式が、ＤＶＤのＶＲ（Ｖｉｄｅｏ  Ｒｅｃｏｒｄｉｎｇ）規格に規定された形式であり、前記データ変換ステップで処理されて、前記記録媒体記録ステップがデータ記録媒体に記録するデータ形式が、ＤＶＤのビデオ規格及び／又はＤＶＤのＶＲ規格に規定された形式であることを特徴とするデータ変換方法。
【請求項２３】
請求項１５乃至２２のいずれかに記載のデータ変換方法であって、前記２重音声選択ステップが、デフォルト状態として予め設定された標準的な音声データの選択方法に基づいて、２重音声のリニアＰＣＭ音声データを構成する主音声データと副音声データとのうちいずれかのリニアＰＣＭ音声データを選択する、又は、該主音声データと該副音声データとの間の演算方法を選択することを特徴とするデータ変換方法。
【請求項２４】
請求項２３に記載のデータ変換方法であって、前記２重音声選択ステップがデフォルト状態として予め設定された標準的な音声データの選択方法として、標準的な等速ダビングにおける音声データの選択方法として予め設定されている選択方法を用いることを特徴とするデータ変換方法。
【請求項２５】
請求項２３又は２４に記載のデータ変換方法であって、前記２重音声選択ステップがデフォルト状態として予め設定された標準的な音声データの選択方法として、標準的な高速ダビングにおける音声データの選択方法として予め設定されている選択方法を用いることを特徴とするデータ変換方法。
【請求項２６】
請求項２３乃至２５のいずれかに記載のデータ変換方法であって、前記２重音声選択方法がデフォルト状態として予め設定された標準的な音声データの選択方法として、ＡＶ（Ａｕｄｉｏ−Ｖｉｄｅｏ）ストリームに含まれている音声ストリームが２重音声の場合にビデオ規格としてデータ記録媒体に記録する際の標準的なＡＶストリームの選択方法として主音声データ、副音声データのいずれを記録するか、又は、該主音声データと該副音声データとの間でどのような演算を行なった演算結果を記録するかに関して予め設定されている選択方法を用いることを特徴とするデータ変換方法。
【請求項２７】
請求項２３乃至２６のいずれかに記載のデータ変換方法であって、前記２重音声選択ステップがデフォルト状態として予め設定された標準的な音声データの選択方法として、ＡＶ（Ａｕｄｉｏ−Ｖｉｄｅｏ）ストリームに含まれている音声ストリームが２重音声の場合に音声データを再生する際の標準的なＡＶストリームの選択方法として主音声データ、副音声データのいずれを再生するか、又は、該主音声データと該副音声データとの間でどのような演算を行なった演算結果を再生するかに関して予め設定されている選択方法を用いることを特徴とするデータ変換方法。
【請求項２８】
請求項２３乃至２７のいずれかに記載のデータ変換方法であって、前記２重音声選択ステップが、デフォルト状態として予め設定された標準的な音声データの選択方法を用いる代わりに、ユーザが任意に設定した音声データの選択方法を用いることができることを特徴とするデータ変換方法。
【請求項２９】
請求項１５乃至２８のいずれかに記載のデータ変換方法を、コンピュータにより実行可能なプログラムとして実施することを特徴とするデータ変換プログラム。
【請求項３０】
請求項２９に記載のデータ変換プログラムをコンピュータにより読み取り可能な記録媒体に記録したことを特徴とするプログラム記録媒体。
【発明の詳細な説明】
【技術分野】
【０００１】
本発明は、データ変換装置、データ変換方法、データ変換プログラム及びプログラム記録媒体の技術分野に属する。より具体的には、音楽、音声や動画などの情報を、ＤＶＤ、ＣＤ、ＨＤＤに代表される記録可能なデータ記録媒体に記録したものを、別のデータ記録媒体あるいは同じデータ記録媒体へデータ形式を変換してダビングする、データ変換装置、データ変換方法、データ変換プログラム及びプログラム記録媒体の技術分野に属する。
【背景技術】
【０００２】
近年、技術進歩により、データ記録媒体の記録容量の増加、低価格化に従い、音楽、音声や動画などのＡＶ（Ａｕｄｉｏ−Ｖｉｄｅｏ）情報を、デジタル化して高品質に記録・再生することが可能な大容量のデータ記録再生機器、データ記録媒体が、安価に提供されるようになってきた。特に、これらＡＶ情報を、ＶＴＲの代わりに、ＣＤ、ＤＶＤやＨＤＤへデジタル化ＡＶデータ（Ａｕｄｉｏ−Ｖｉｄｅｏ  Ｄａｔａ）として記録するデータ記録再生機器が普及しつつあり、最近では、記録容量の更なる増加を狙い、ブルーレイディスク（Ｂｌｕ−ｒａｙ  Ｄｉｓｃ）やＨＤ−ＤＶＤ（Ｈｉｇｈ  Ｄｉｆｉｎｉｔｉｏｎ  ＤＶＤ）などが開発されている。
【０００３】
このようなＡＶ情報をデジタル化してＡＶデータとして記録・再生する場合の記録フォーマットについて、データ記録媒体として例えばＤＶＤディスクの場合を例にとって説明する。ＤＶＤディスクの場合、当初、再生専用のＤＶＤ−ＲＯＭとして開発されたため、１枚のＤＶＤディスクに記録すべきＡＶ情報をデジタル化したＡＶデータを全て準備できた後に、ＤＶＤディスクに一括して記録する記録フォーマット（以下、ビデオ規格と略称）が規格化され、利用されている。
【０００４】
その後、ＡＶ情報をデジタル化したＡＶデータを一回のみ記録可能なＤＶＤディスク（ＤＶＤ±Ｒ、ＤＶＤ＋Ｒ  ＤＬ等）や、追記又は書き換えが可能で、リアルタイムに逐次記録することが可能なＤＶＤディスク（ＤＶＤ±ＲＷ、ＤＶＤ−ＲＡＭ等）やＤＶＤ記録再生機器が開発され、リアルタイムにＤＶＤディスクに逐次記録する記録フォーマット（以下、ＶＲ（Ｖｉｄｅｏ  Ｒｅｃｏｒｄｉｎｇ）規格と略称）が、前述のビデオ規格の記録フォーマットとは異なるフォーマットとして別個に規格化された。
【０００５】
ここで、ＡＶ情報をＤＶＤディスクに記録・再生する利用者の利便性を考えた場合、ＤＶＤ記録再生機器において、ビデオ規格に従った記録フォーマットでＤＶＤディスクに記録し、先行して大量に市場に普及している再生専用のＤＶＤ再生機を用いてＤＶＤディスクのＡＶ情報（即ちデジタル化したＡＶデータ）を再生可能とすることが望ましい。このため、記録媒体に記録されたＶＲ規格のＡＶデータをビデオ規格に従った記録フォーマットに変換してＤＶＤディスクに記録することが望まれる。ＶＲ規格からビデオ規格の記録フォーマットへの変換方法としては、大きく分けて次の２種類の変換方法が提案されている。
【０００６】
一つは、等速ダビング法であり、ＶＲ規格のＡＶデータをデコードして、一旦アナログ信号の画像、音声のＡＶ情報を再生した後、再生したＡＶ情報を再びデジタル化して、ビデオ規格に従ったＡＶデータに変換する方法である。
もう一つは、高速ダビング法であり、ＶＲ規格のＡＶデータをデコードすることなく、デジタル化したＡＶデータのまま、ＶＲ規格からビデオ規格へ高速に変換する方法である。
【０００７】
デコード処理を伴わない後者の高速ダビング法は、デコード処理を伴う前者の等速ダビング法に比較して、変換時間が少なくても済む、デコード処理及び再デジタル化処理に伴う品質劣化が無いなどの利点がある一方、次に示すような問題も有している。
【０００８】
ＶＲ規格からビデオ規格へのＡＶデータの高速ダビング法においては、まず、ＶＲ規格としてのリアルタイム情報を記録しているＲＤＩパック（Ｒｅａｌ−Ｔｉｍｅ  Ｄａｔａ  Ｉｎｆｏｒｍａｔｉｏｎ  Ｐａｃｋ）を、ビデオ規格としての再生用ナビゲーション情報を記録しているＮＶパック（Ｎａｖｉｇａｔｉｏｎ  Ｐａｃｋ）へ変換する必要がある。ここに、ＲＤＩパックには、後続するＡＶデータの再生開始時刻・再生終了時刻、画像表示用アスペクト比情報、サブタイトル情報の有無、素材モード情報、著作権管理情報などが含まれており、一方、ＮＶパックには、後続するＡＶデータの再生開始時刻毎の参照アドレス、前後のＮＶパックの参照アドレス、画像表示用の制御情報などが含まれている。なお、ＲＤＩパックをＮＶパックへ変換する方法については、既に公知であるので、詳細な説明は省略する。
【０００９】
以下には、ＶＲ規格とビデオ規格との論理的な記録フォーマットについて図面を参照しながら更に説明する。
まず、ビデオ規格におけるＡＶデータの論理フォーマットについて、非特許文献１に示す「ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３  ＶＩＤＥＯ  ＳＰＥＣＩＦＩＣＡＴＩＯＮＳ  Ｖｅｒｓｉｏｎ  １．０，Ｊｕｌｙ  １９９７」、及び、非特許文献２に示す「ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３  ＶＩＤＥＯ  ＳＰＥＣＩＦＩＣＡＴＩＯＮＳ  Ｖｅｒｓｉｏｎ  １．１，Ｄｅｃｅｍｂｅｒ  １９９７」にて規格化されたＤＶＤビデオ規格の論理フォーマットを、図６を用いて説明する。図６は、ＤＶＤビデオ規格及びＤＶＤ  ＶＲ規格として規格化されたビデオタイトルの論理フォーマットを示す構成図である。
【００１０】
図６の構成図において、１つのビデオタイトルを示すＶＴＳ（Ｖｉｄｅｏ  Ｔｉｔｌｅ  Ｓｅｔ：ビデオタイトルセット）４０には、音声・画像・テキストなどの各種情報が含まれており、１つ以上のＶＯＢ（Ｖｉｄｅｏ  Ｏｂｊｅｃｔ：ビデオ・オブジェクト）４１からなるＶＯＢＳ構造として構成されている。また、１つのＶＯＢ４１は、複数のセルから構成されるが、本説明では、説明を簡素化するため、ＶＯＢ４１とセルとが一致するものとして説明する。
【００１１】
ここで、ＶＯＢ４１以下の構造が、ビデオ規格のＡＶストリーム即ちＡＶデータのフォーマットを示している。１つのＶＯＢ４１は、１つ以上のＶＯＢＵ（Ｖｉｄｅｏ  Ｏｂｊｅｃｔ  Ｕｎｉｔ：ビデオ・オブジェクト・ユニット）４２からなるＶＯＢ構造として構成されている。１つのＶＯＢＵ４２は、整数個のＧＯＰ（Ｇｒｏｕｐ  Ｏｆ  Ｐｉｃｔｕｒｅ：グループ・オブ・ピクチャ）から成り立っていると共に、２ｋＢｙｔｅ単位に、ナビゲーション情報が記録されたＮＶパック（Ｎａｖｉｇａｔｉｏｎ  Ｐａｃｋ：ナビゲーションパック）４３、ビデオデータ即ち映像データが記録されたＶパック（Ｖｉｄｅｏ  Ｐａｃｋ：ビデオパック）４４、オーディオデータ即ち音声データが記録されたＡパック（Ａｕｄｉｏ  Ｐａｃｋ：オーディオパック）４５、サブピクチャデータが記録されたサブピクチャパック（図示していない）からなるＶＯＢＵ構造として構成されている。
【００１２】
次に、ＶＲ規格におけるＡＶデータの論理フォーマットについて、非特許文献３に示す「ＤＶＤ  Ｓｐｅｃｉｆｉｃａｔｉｏｎｓ  ｆｏｒ  ＤＶＤ−ＲＡＭ／ＤＶＤ−ＲＷ／ＤＶＤ−Ｒ  ｆｏｒ  Ｇｅｎｅｒａｌ  Ｄｉｓｃｓ  Ｐａｒｔ３  ＶＩＤＥＯ  ＲＥＣＯＲＤＩＮＧ  Ｖｅｒｓｉｏｎ  １．１，Ｓｅｐｔｅｍｂｅｒ  ２０００」にて規格化されたＤＶＤ  ＶＲ規格の論理フォーマットを、図６を用いて説明する。図６は、前述したように、ＤＶＤビデオ規格及びＤＶＤ  ＶＲ規格として規格化されたビデオタイトルの論理フォーマットを示す構成図である。
【００１３】
図６の構成図に示すように、ＶＲ規格のＡＶストリーム即ちＡＶデータのファーマットは、ビデオ規格とほぼ同一であり、１つのビデオタイトルを示すＶＴＳ４０には、音声・画像・テキストなどの各種情報が含まれており、１つ以上のＶＯＢ４１からなるＶＯＢＳ構造として構成され、１つのＶＯＢ４１は、複数のセルから構成されるが、図６には、ＶＯＢ４１とセルとが一致するものとして説明している。
【００１４】
更に、ＶＲ規格の場合、ビデオ規格と同様に、１つのＶＯＢ４１は、１つ以上のＶＯＢＵ４２からなるＶＯＢ構造として構成され、１つのＶＯＢＵ４２は、整数個のＧＯＰから成り立っていると共に、２ｋＢｙｔｅ単位に、リアルタイム情報が記録されたＲＤＩパック（Ｒｅａｌ−ｔｉｍｅ  Ｄａｔａ  Ｉｎｆｏｍａｔｉｏｎ：実時間データパック）４６、ビデオデータ即ち映像データが記録されたＶパック４４、オーディオデータ即ち音声データが記録されたＡパック４５、サブピクチャデータが記録されたサブピクチャパック（図示していない）からなるＶＯＢＵ構造として構成されている。
【００１５】
次に、図６に示すビデオ規格とＶＲ規格とのＡパック（オーディオパック）４５の論理フォーマットについて、図７を用いて更に説明する。図７は、ＤＶＤビデオ規格及びＤＶＤ  ＶＲ規格として規格化されたオーディオパックの論理フォーマットを示す構成図であり、図６に示すＡパック４５の一つを取り出して、その論理フォーマットを示している。図７に示すように、ビデオ規格とＶＲ規格とのＡパックの基本構成は、全く同一のフォーマットとされており、いずれの規格においても、Ａパック４５は、パックヘッダ４５ａ、パケットヘッダ４５ｂ、オーディオデータ４５ｃの順に構成されている。なお、パケットヘッダ４５ｂは、後続するオーディオデータ４５ｃの種別などの音声識別情報を示すヘッダ情報を設定する領域であり、本説明において必要となる主な構成要素のみを示している。
【００１６】
パックヘッダ４５ａには、先頭にパックの始まりを示す固定値からなるパックスタートコード４５１ａと、次に、ＳＣＲ（Ｓｙｓｔｅｍ  Ｃｌｏｃｋ  Ｒｅｆｅｒｅｎｃｅ：システムクロックリファレンス）４５２ａとが記録されている。このＳＣＲ４５２ａは、データ記録再生装置内のシステムクロックと比較され、その比較結果は、データ記録再生装置内でＡＶストリーム内のオーディオデータをパック単位で取り扱う場合のタイミング情報として用いられる。
【００１７】
パックヘッダ４５ａの次に位置するパケットヘッダ４５ｂの先頭には、パケットの始まりを示す固定値からなるパケットスタートコード４５１ｂが記録されている。パケットスタートコード４５１ｂに続いて、オーディオデータ４５ｃ即ち音声ストリームの識別情報であることを示すストリームＩＤ４５２ｂが記録されている。次に、当該オーディオパケット４５ｂに含まれるＰＥＳ（Ｐａｃｋｅｔ  Ｅｌｅｍｅｎｔａｒｙ  Ｓｔｒｅａｍ：パケットエレメンタリストリーム）のバイト数を示すパケット長４５３ｂが記録されている。
【００１８】
更に、ＰＴＳ（Ｐｒｅｓｅｎｔａｔｉｏｎ  Ｔｉｍｅ  Ｓｔａｍｐ：プレゼンテーションタイムスタンプ）４５４ｂが記録されている。このＰＴＳ４５４ｂは、再生出力する際に、オーディオデータ、ビデオデータ、サブストリーム間で同期を取って出力するためのタイミング情報として用いられる。また、パック長を所定の長さにするためのスタッフィングバイトを置くスタッフィング領域４５５ｂも確保されている。
【００１９】
スタッフィング領域４５５ｂの次には、当該オーディオパック４５がリニアＰＣＭ（Ｌｉｎｅａｒ  ＰＣＭ）符号化したオーディオパックである場合には、リニアＰＣＭ符号化のオーディオデータであることを示すと共に、リニアＰＣＭ音声ストリームを識別するためのサブストリームＩＤ４５６ｂが記録されている。更に、オーディオデータ４５ｃのフレーム量子化情報やサンプリング周波数、オーディオフレーム数、オーディオデータ４５ｃの先頭アクセスユニットを示す先頭アドレスなどからなるフレーム情報４５７ｂや、オーディオデータ４５ｃにエンファシスをかけているか、全てのデータをゼロでミュートしているか、当該オーディオパック４５のオーディオチャンネル数（モノラル、ステレオ、デュアルモノラル即ち２重音声）などの情報を含むデータ情報４５８ｂが記録されている。
【００２０】
以上のような論理的な記録フォーマットからなるＶＲ規格のＡＶデータをビデオ規格へ変換してダビングを行なうデータ変換方法としては、以下のような公知技術がある。
特許文献１に示す特開２００３−１０９３０６号公報「データ記録方法、データ記録装置、プログラム、及び媒体」では、高速ダビングを前提にしたデータ記録を行なう際には、ＶＲ規格とビデオ規格とのＡＶデータには、画像の画素数、音声圧縮方式等に相違点が存在しているため、いずれの規格にも共通に利用できる条件に限定して記録する必要があることが示されている。
【００２１】
更に、該特許文献１においては、ＶＲ規格では、例えば２ヶ国語放送に対応したデュアルモノラル音声形式（２重音声形式）といわれる音声モードが規格化されているが、ビデオ規格には、デュアルモノラル形式の音声モードが存在していないため、２ヶ国語放送のＡＶデータを高速ダビングにより変換して記録を行なう際には、デュアルモノラルの２重音声のうち、主音声もしくは副音声のいずれか一方を選択して、モノラル音声等のビデオ規格で適合できる音声方式で記録しなければならないことが示されている。
【００２２】
更に、放送番組の場合、放送番組の途中で、例えば、ステレオ音声からデュアルモノラル音声形式の２ヶ国語放送やモノラル音声に変更されるなど、オーディオ属性が変更される場合があるが、ＶＲ規格では、番組タイトルの途中でのオーディオ属性の変更にも対応して記録可能であるが、一方、ビデオ規格に準拠して放送番組を受信して記録する場合は、番組タイトルの途中では、オーディオ属性を変更することができないために、ステレオ音声からデュアルモノラル音声へ切り替わった場合には、主音声又は副音声のいずれかをＲｃｈとＬｃｈとの両方に入力するようにして、ステレオ音声のまま継続して記録することが示されている。
【００２３】
また、特許文献２に示す特開２００３−１９９０４６号公報「情報記録装置及び情報記録媒体」でも、前記特許文献１と同様に、ＶＲ規格からビデオ規格への高速ダイングが可能なフォーマットで記録するか否かをユーザに選択させ、ビデオ規格への高速ダビングが可能なフォーマットで記録することを選択した場合であって、ビデオ規格への変換不能なデュアルモノラル音声のオーディオ属性であった場合には、主音声又は副音声のいずれかをユーザに強制的に選択させ、ＲｃｈとＬｃｈとの両方に入力してステレオ音声に変換して記録することが示されている。
【００２４】
更に、該特許文献２では、ＶＲ規格からビデオ規格への変換互換性の有無を示す変換互換性情報を有し、デュアルモノラル音声として記録されているＶＲ規格のタイトルについては、該変換互換性情報には互換性無しとして記録することとし、ビデオ規格への高速ダビングができないタイトルであるとして制御する旨も示されている。
【００２５】
また、特許文献３に示す特開２００３−１３２６２８号公報「情報記録再生装置」では、デュアルモノラル音声の場合、より忠実にオリジナルの音声を記録するために、ＶＲ規格では、デュアルモノラル音声のまま記録し、一方、ビデオ規格のＤＶＤディスクに記録する際に、リニアＰＣＭ方式の非圧縮音声データとして記録する場合は、１つのデュアルモノラル音声ストリームを中間状態として一旦主音声と副音声との２つのモノラル音声ストリームに分離した状態で記録しておき、分離した２つのモノラル音声ストリームを動画ストリームと共に高速ダビングする方法が示されている。また、ＭＰＥＧ方式やドルビーデジタル方式などの音声圧縮データとして記録する場合は、音声圧縮データを伸長して元の非圧縮音声ストリームに戻した後、圧縮符号化し直して、動画ストリームと共に、音声ストリームをダビングする方法が示されている。
【００２６】
以下、前述したような特許文献３で記載されている既存技術に係るデータ記録装置の機能構成を、図８を用いて説明する。ここに、図８は、既存技術におけるデータ記録装置の機能構成の一例を示す機能ブロック構成図である。
図８に示すデータ記録装置５０において、データ変換部５１は、音声データ入替部５１１、ＲＤＩ→ＮＶ変換部５１２、音声データ抽出部５１３及びストリーム分離部５１４から構成されている。データ変換部５１は、ＶＲ規格準拠のフォーマットのＡＶストリーム即ちＡＶデータを入力とし、ＮＶ規格のＡＶストリームに変換して出力する。
【００２７】
データ変換部５１に入力されたＶＲ規格のＡＶストリームは、音声データ入替部５１１と音声データ抽出部５１３とに入力される。音声データ抽出部５１３では、入力されたＡＶストリームにデュアルモノラル音声即ち２重音声の音声ストリームが含まれているか否かを識別し、２重音声の音声ストリームを抽出して、ストリーム分離部５１４へ出力する。ストリーム分離部５１４では、入力された２重音声の音声ストリームを主音声、副音声の２つのモノラルの音声ストリームに分離して、音声データ入替部５１１に出力する。
【００２８】
音声データ入替部５１１では、入力されたオリジナルのＡＶストリームに含まれる音声ストリームが２重音声の音声ストリームであった場合には、ストリーム分離部５１４で分離された２つのモノラルの音声ストリームをオリジナルの音声ストリームと入れ替えて、ＲＤＩ→ＮＶ変換部５１２に出力する。ＲＤＩ→ＮＶ変換部５１２では、音声データ入替部５１１から出力されるＡＶストリームを入力とし、該ＡＶストリーム中のＲＤＩヘッダをＮＶヘッダに変換して、ビデオ規格準拠のフォーマットのＡＶストリームとして、記録媒体記録部５２に対して出力する。記録媒体記録部５２では、管理情報設定部５３から出力される管理情報と共に、ビデオ規格のＡＶストリームをデータ記録媒体に記録する。
【００２９】
管理情報設定部５３では、オリジナルのＡＶストリームに含まれる音声ストリームが２重音声の音声ストリームであった場合には２つのモノラルの音声ストリームが存在することを、ＤＶＤやＨＤＤなどのデータ記録媒体の記録フォーマットに従った管理情報として生成し、記録媒体記録部５２に出力する。記録媒体記録部５２は、管理情報設定部５３から出力された管理情報と共に、データ変換部５１のＲＤＩ→ＮＶ変換部５１２から出力されたＡＶストリームを、ＤＶＤやＨＤＤなどのデータ記録媒体の記録フォーマットに適合したデータ形式として記録する。
【００３０】
図９は、図８に示す従来のデータ記録装置５０におけるオーディオデータの変換方法を示す模式図であり、ＶＲ規格のＡＶストリームからデュアルモノラル音声即ち２重音声の音声ストリームを抽出し、抽出された２重音声の音声ストリームを２ストリームのモノラル音声に分解し、オリジナルの２重音声の音声ストリームの代わりに、２つのモノラル音声ストリームに入れ替える方法を具体的に示している。
【００３１】
図９に示すように、ＶＲ規格のＡＶストリーム６０に含まれている音声ストリームのＡ１パケット６２、Ａ２パケット６３が、デュアルモノラル即ち２重音声の音声ストリームであると音声データ抽出部５１３で識別され、かつ、抽出されて、ストリーム分離部５１４に入力されると、音声ストリームＡ１パケット６２とＡ２パケット６３とのそれぞれに含まれている主音声１  ６２１、副音声１  ６２２、…、主音声ｎ  ６２３、副音声ｎ  ６２４と、主音声（ｎ＋１）６３１、副音声（ｎ＋１）６３２、…、主音声２ｎ  ６３３、副音声２ｎ  ６３４とが、主音声と副音声とに分離されて、Ａ１′パケット６２′とＡ２′パケット６３′とに編集される。
【００３２】
一方、音声データ入替部５１１では、音声データ抽出部５１３にて２重音声の音声ストリームであることが識別された場合、オリジナルのＶＲ規格のＡＶストリーム６０に含まれている音声ストリームのＡ１パケット６２、Ａ２パケット６３を、ストリーム分離部５１４から出力されたＡ１′パケット６２′、Ａ２′パケット６３′に置換して、ＲＤＩ→ＮＶ変換部５１２に出力する。ＲＤＩ→ＮＶ変換部５１２では、音声データ入替部５１１からのＡＶストリームのＲＤＩパック６１をＮＶパック６４に変換して、ビデオ規格準拠のＡＶストリーム６０′を生成して、記録媒体記録部５２に対して出力する。
【特許文献１】特開２００３−１０９３０６号公報
【特許文献２】特開２００３−１９９０４６号公報
【特許文献３】特開２００３−１３２６２８号公報
【非特許文献１】ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３  ＶＩＤＥＯ  ＳＰＥＣＩＦＩＣＡＴＩＯＮＳ  Ｖｅｒｓｉｏｎ  １．０，Ｊｕｌｙ  １９９７
【非特許文献２】ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ３  ＶＩＤＥＯ  ＳＰＥＣＩＦＩＣＡＴＩＯＮＳ  Ｖｅｒｓｉｏｎ  １．１，  Ｄｅｃｅｍｂｅｒ  １９９７
【非特許文献３】ＤＶＤ  Ｓｐｅｃｉｆｉｃａｔｉｏｎｓ  ｆｏｒ  ＤＶＤ−ＲＡＭ／ＤＶＤ−ＲＷ／ＤＶＤ−Ｒ  ｆｏｒ  Ｇｅｎｅｒａｌ  Ｄｉｓｃｓ  Ｐａｒｔ３  ＶＩＤＥＯ  ＲＥＣＯＲＤＩＮＧ  Ｖｅｒｓｉｏｎ  １．１，Ｓｅｐｔｅｍｂｅｒ  ２０００
【発明の開示】
【発明が解決しようとする課題】
【００３３】
しかしながら、前記特許文献１に記載の技術の場合、デュアルモノラル音声が入力された場合でも、ビデオ規格への高速ダビングができるように、中間状態のＶＲ規格への記録の際に、予め選択した主音声か副音声かのいずれか一方のみを記録することとしているため、選択されなかった音声は常に再生することができないという課題があった。
【００３４】
また、前記特許文献２に記載の技術においても、ビデオ規格への高速ダビングが可能な中間状態のＶＲ規格のフォーマットとして記録した場合は、前記特許文献１の場合と同様に、選択されなかった音声については常に再生することができないという課題があった。更には、ビデオ規格への高速ダビングが不可能な中間状態のＶＲ規格のフォーマットとして記録することとした場合は、ＶＲ規格準拠のＡＶ再生装置であれば、主音声、副音声のいずれでも再生することができるが、ビデオ規格への高速ダビングをすることができないという課題があった。
【００３５】
前記特許文献１，２に対して、前記特許文献３に記載の技術では、リニアＰＣＭ方式の非圧縮音声として記録する場合は、入力音声がデュアルモノラル音声であっても、主副両方の音声が中間状態としてＶＲ規格に準拠して記録し、かつ、再生することができると共に、ビデオ規格への高速ダビングを行なった場合にも再生することができる可能性が高いという利点がある。
【００３６】
しかしながら、入力音声がタイトルの最初から最後までデュアルモノラル音声のまま音声フォーマットが変化しなかった場合にのみ再生が可能であって、タイトルの途中で、ステレオ、デュアルモノラル、モノラルなどと音声フォーマットが変わる場合には、ビデオ規格では１タイトル中に複数の音声フォーマットを用いることができないため、タイトル途中で音声フォーマットが変わるタイトルには高速ダビングに対応することができないという課題があった。
【００３７】
更に、１タイトルの途中では音声フォーマットが変わらない場合であっても、デュアルモノラルの音声を２つの音声ストリームに変換する際に、ＡＶストリームからオーディオパケットを取り出し、主副音声の２つの音声ストリームに分離し、分離した２音声ストリームを取り出したＡＶストリームの元の場所と単純に入れ替えるような処理では、オーディオバッファモデルから逸脱し、音声ストリームがバッファをオーバーフローしたり、アンダーフローしたりする場合があり、ビデオ規格に違反するディスクを作成してしまうという課題があった。
【００３８】
このようなオーバーフローやアンダーフローに関する課題について、前述した図９を用いて説明する。図９にて説明したように、デュアルモノラル音声のオーディオパックを含むＶＯＢＵからなるＡＶストリーム６０の中から、デュアルモノラル音声の音声ストリームを構成するＡ１パケット６２、Ａ２パケット６３、…を抽出し、抽出されたＡ１パケット６２、Ａ２パケット６３、…のそれぞれを主音声と副音声との２つのモノラル音声ストリームを構成するＡ１′パケット６２′、Ａ２′パケット６３′、…に分解し、デュアルモノラル音声のＡ１パケット６２、Ａ２パケット６３、…の代わりに、２つのモノラル音声のＡ１′パケット６２′、Ａ２′パケット６３′、…に入れ替えて、２つのモノラル音声のオーディオパックを含むＶＯＢＵからなるＡＶストリーム６０′を生成している。
【００３９】
この際、Ａ１パケット６２とＡ１′パケット６２′、Ａ２パケット６３とＡ２′パケット６３′のＳＣＲ（Ｓｙｓｔｅｍ  Ｃｌｏｃｋ  Ｒｅｆｅｒｅｎｃｅ）は等しいので、変換する必要はない。これに対して、ＰＴＳ（Ｐｒｅｓｅｎｔａｔｉｏｎ  Ｔｉｍｅ  Ｓｔａｍｐ）は、主音声データ側のＡ１′パケット６２′と副音声データ側のＡ２′パケット６３′とをＡ１パケット６２のＰＴＳと等しくするために、Ａ２パケット６３のＰＴＳをＡ１パケット６２と同じＰＴＳに変更する必要がある。このため、オーディオバッファモデルに変更が生じ、オーディオバッファが破綻する場合が生じる。
【００４０】
本発明は、かかる事情に鑑みてなされたものであり、高速ダビングを前提とした記録を行なう場合において、音声データが変換すべきデュアルモノラル音声即ち２重音声のリニアＰＣＭ音声データであった場合、予め任意に設定された選択方法に基づいて、主音声データと副音声データとのいずれかを選択して、選択した同じ音声データを、主音声データと副音声データとの両方に設定したり、あるいは、予め任意に設定された演算方法に基づいて、主音声データと副音声データとの間の演算を施し、演算された音声データを、主音声データと副音声データとの両方に設定したりして、ステレオ音声に変換することにより、ＰＴＳに変更が伴わず、オーディオバッファが破綻することもなく、ビデオ規格準拠のステレオ音声データへの高速変換を可能とすることを目的としている。
【課題を解決するための手段】
【００４１】
第１の技術手段は、２重音声のリニアＰＣＭ音声データを含むデータを入力して２重音声のリニアＰＣＭ音声データを変換するデータ変換部と、該データ変換部から出力されたデータをデータ記録媒体に記録する記録媒体記録部とを備えたデータ変換装置であって、前記データ変換部に入力された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択部を備え、前記データ変換部が、前記２重音声選択部の選択結果に基づいて、２重音声のリニアＰＣＭ音声データを構成する主音声データ又は副音声データのいずれかを選択し、選択された音声データにより、選択されていない副音声データ又は主音声データを入れ替えて設定して、ステレオ音声のリニアＰＣＭ音声データとして変換することを特徴とする。
【００４２】
第２の技術手段は、２重音声のリニアＰＣＭ音声データを含むデータを入力して２重音声のリニアＰＣＭ音声データを変換するデータ変換部と、該データ変換部から出力されたデータをデータ記録媒体に記録する記録媒体記録部とを備えたデータ変換装置であって、前記データ変換部に入力された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択部を備え、前記データ変換部が、前記２重音声選択部の選択結果に基づいて、２重音声のリニアＰＣＭ音声データを構成する主音声データと副音声データとの間の演算処理を行ない、演算された音声データにより、主音声データと副音声データとの両方を入れ替えて設定して、ステレオ音声のリニアＰＣＭ音声データとして変換することを特徴とする。
【００４３】
第３の技術手段は、２重音声とステレオ音声とのリニアＰＣＭ音声データを混在して含むデータを入力して２重音声のリニアＰＣＭ音声データを変換するデータ変換部と、該データ変換部から出力されたデータをデータ記録媒体に記録する記録媒体記録部とを備えたデータ変換装置であって、前記データ変換部に入力された音声データの中から、２重音声とステレオ音声とを判別する入力音声判別部と、該入力音声判別部により判別された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択部とを備え、前記データ変換部が、前記入力音声判別部においてステレオ音声と判別されたリニアＰＣＭ音声データは、データ変換せずにそのまま出力し、前記入力音声判別部において２重音声と判別されたリニアＰＣＭ音声データは、前記２重音声選択部の選択結果に基づいて、２重音声のリニアＰＣＭ音声データを構成する主音声データ又は副音声データのいずれかを選択し、選択された音声データにより、選択されていない副音声データ又は主音声データを入れ替えて設定して、ステレオ音声のリニアＰＣＭ音声データとして変換することを特徴とする。
【００４４】
第４の技術手段は、２重音声とステレオ音声とのリニアＰＣＭ音声データを混在して含むデータを入力して２重音声のリニアＰＣＭ音声データを変換するデータ変換部と、該データ変換部から出力されたデータをデータ記録媒体に記録する記録媒体記録部とを備えたデータ変換装置であって、前記データ変換部に入力された音声データの中から、２重音声とステレオ音声とを判別する入力音声判別部と、該入力音声判別部により判別された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択部とを備え、前記データ変換部が、前記入力音声判別部においてステレオ音声と判別されたリニアＰＣＭ音声データは、データ変換せずにそのまま出力し、前記入力音声判別部において２重音声と判別されたリニアＰＣＭ音声データは、前記２重音声選択部の選択結果に基づいて、２重音声のリニアＰＣＭ音声データを構成する主音声データと副音声データとの間の演算処理を行ない、演算された音声データにより、主音声データと副音声データとの両方を入れ替えて設定して、ステレオ音声のリニアＰＣＭ音声データとして変換することを特徴とする。
【００４５】
第５の技術手段は、前記第１乃至第４の技術手段のいずれかに記載のデータ変換装置であって、前記データ変換部に入力される音声データのデータ形式として、リニアＰＣＭ音声データの他に、該リニアＰＣＭ音声データの種別を含む音声識別情報を構成するヘッダ情報が含まれるデータストリームの形式で入力されるものであり、前記データ変換部においてリニアＰＣＭ音声データを２重音声データからステレオ音声データに変換する際に、前記データストリームに含まれる前記ヘッダ情報の前記音声識別情報を２重音声からステレオ音声を示す情報に変更して設定することを特徴とする。
【００４６】
第６の技術手段は、前記第１乃至第４の技術手段のいずれかに記載のデータ変換装置であって、前記データストリームの形式が、ＩＳＯ／ＩＥＣ１３８１８−１規格に規定されたＭＰＥＧ−ＰＳ（Ｐｒｏｇｒａｍ  Ｓｔｒｅａｍ）であることを特徴とする。
【００４７】
第７の技術手段は、前記第１乃至第５の技術手段のいずれかに記載のデータ変換装置であって、前記記録媒体記録部が前記データ変換部から出力されたデータをデータ記録媒体に記録する際に、リニアＰＣＭ音声データの他に、該リニアＰＣＭ音声データを管理するための管理情報を付加して記録するものであり、前記データ変換部においてリニアＰＣＭ音声データを２重音声データからステレオ音声データに変換した場合、前記管理情報に該リニアＰＣＭ音声データがステレオ音声である旨を設定することを特徴とする。
【００４８】
第８の技術手段は、前記第６又は第７の技術手段に記載のデータ変換装置であって、前記データ変換部に入力されるデータ形式が、ＤＶＤのＶＲ（Ｖｉｄｅｏ  Ｒｅｃｏｒｄｉｎｇ）規格に規定された形式であり、前記データ変換部から出力されて、前記記録媒体記録部がデータ記録媒体に記録するデータ形式が、ＤＶＤのビデオ規格及び／又はＤＶＤのＶＲ規格に規定された形式であることを特徴とする。
【００４９】
第９の技術手段は、前記第１乃至第８の技術手段のいずれかに記載のデータ変換装置であって、前記２重音声選択部が、デフォルト状態として予め設定された標準的な音声データの選択方法に基づいて、２重音声のリニアＰＣＭ音声データを構成する主音声データと副音声データとのうちいずれかのリニアＰＣＭ音声データを選択する、又は、該主音声データと該副音声データとの間の演算方法を選択することを特徴とする。
【００５０】
第１０の技術手段は、前記第９の技術手段に記載のデータ変換装置であって、前記２重音声選択部がデフォルト状態として予め設定された標準的な音声データの選択方法として、標準的な等速ダビングにおける音声データの選択方法として予め設定されている選択方法を用いることを特徴とする。
【００５１】
第１１の技術手段は、前記第９又は第１０の技術手段に記載のデータ変換装置であって、前記２重音声選択部がデフォルト状態として予め設定された標準的な音声データの選択方法として、標準的な高速ダビングにおける音声データの選択方法として予め設定されている選択方法を用いることを特徴とする。
【００５２】
第１２の技術手段は、前記第９乃至第１１の技術手段のいずれかに記載のデータ変換装置であって、前記２重音声選択部がデフォルト状態として予め設定された標準的な音声データの選択方法として、ＡＶ（Ａｕｄｉｏ−Ｖｉｄｅｏ）ストリームに含まれている音声ストリームが２重音声の場合にビデオ規格としてデータ記録媒体に記録する際の標準的なＡＶストリームの選択方法として主音声データ、副音声データのいずれを記録するか、又は、該主音声データと該副音声データとの間でどのような演算を行なった演算結果を記録するかに関して予め設定されている選択方法を用いることを特徴とする。
【００５３】
第１３の技術手段は、前記第９乃至第１２の技術手段のいずれかに記載のデータ変換装置であって、前記２重音声選択部がデフォルト状態として予め設定された標準的な音声データの選択方法として、ＡＶ（Ａｕｄｉｏ−Ｖｉｄｅｏ）ストリームに含まれている音声ストリームが２重音声の場合に音声データを再生する際の標準的なＡＶストリームの選択方法として主音声データ、副音声データのいずれを再生するか、又は、該主音声データと該副音声データとの間でどのような演算を行なった演算結果を再生するかに関して予め設定されている選択方法を用いることを特徴とする。
【００５４】
第１４の技術手段は、前記第９乃至第１３の技術手段のいずれかに記載のデータ変換装置であって、前記２重音声選択部が、デフォルト状態として予め設定された標準的な音声データの選択方法を用いる代わりに、ユーザが任意に設定した音声データの選択方法を用いることができることを特徴とする。
【００５５】
第１５の技術手段は、２重音声のリニアＰＣＭ音声データを含むデータを入力して２重音声のリニアＰＣＭ音声データを変換するデータ変換ステップと、該データ変換ステップで処理されたデータをデータ記録媒体に記録する記録媒体記録ステップとを有するデータ変換方法であって、前記データ変換ステップに入力された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択ステップを有し、前記データ変換ステップが、前記２重音声選択ステップの選択結果に基づいて、２重音声のリニアＰＣＭ音声データを構成する主音声データ又は副音声データのいずれかを選択し、選択された音声データにより、選択されていない副音声データ又は主音声データを入れ替えて設定して、ステレオ音声のリニアＰＣＭ音声データとして変換することを特徴とする。
【００５６】
第１６の技術手段は、２重音声のリニアＰＣＭ音声データを含むデータを入力して２重音声のリニアＰＣＭ音声データを変換するデータ変換ステップと、該データ変換ステップで処理されたデータをデータ記録媒体に記録する記録媒体記録ステップと有するデータ変換方法であって、前記データ変換ステップに入力された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択ステップを有し、前記データ変換ステップが、前記２重音声選択ステップの選択結果に基づいて、２重音声のリニアＰＣＭ音声データを構成する主音声データと副音声データとの間の演算処理を行ない、演算された音声データにより、主音声データと副音声データとの両方を入れ替えて設定して、ステレオ音声のリニアＰＣＭ音声データとして変換することを特徴とする。
【００５７】
第１７の技術手段は、２重音声とステレオ音声とのリニアＰＣＭ音声データを混在して含むデータを入力して２重音声のリニアＰＣＭ音声データを変換するデータ変換ステップと、該データ変換ステップで処理されたデータをデータ記録媒体に記録する記録媒体記録ステップとを有するデータ変換方法であって、前記データ変換ステップに入力された音声データの中から、２重音声とステレオ音声とを判別する入力音声判別ステップと、該入力音声判別ステップにより判別された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択ステップとを有し、前記データ変換ステップが、前記入力音声判別ステップにおいてステレオ音声と判別されたリニアＰＣＭ音声データは、データ変換せずにそのまま出力し、前記入力音声判別ステップにおいて２重音声と判別されたリニアＰＣＭ音声データは、前記２重音声選択ステップの選択結果に基づいて、２重音声のリニアＰＣＭ音声データを構成する主音声データ又は副音声データのいずれかを選択し、選択された音声データにより、選択されていない副音声データ又は主音声データを入れ替えて設定して、ステレオ音声のリニアＰＣＭ音声データとして変換することを特徴とする。
【００５８】
第１８の技術手段は、２重音声とステレオ音声とのリニアＰＣＭ音声データを混在して含むデータを入力して２重音声のリニアＰＣＭ音声データを変換するデータ変換ステップと、該データ変換ステップで処理されたデータをデータ記録媒体に記録する記録媒体記録ステップとを有するデータ変換方法であって、前記データ変換ステップに入力された音声データの中から、２重音声とステレオ音声とを判別する入力音声判別ステップと、該入力音声判別ステップにより判別された２重音声のリニアＰＣＭ音声データを構成する主音声データと副音声データとのうちいずれかのリニアＰＣＭ音声データを選択する、又は、該主音声データと該副音声データとの間の演算方法を選択する２重音声選択ステップとを有し、前記データ変換ステップが、前記入力音声判別ステップにおいてステレオ音声と判別されたリニアＰＣＭ音声データは、データ変換せずにそのまま出力し、前記入力音声判別ステップにおいて２重音声と判別されたリニアＰＣＭ音声データは、前記２重音声選択ステップの選択結果に基づいて、２重音声のリニアＰＣＭ音声データを構成する主音声データと副音声データとの間の演算処理を行ない、演算された音声データにより、主音声データと副音声データとの両方を入れ替えて設定して、ステレオ音声のリニアＰＣＭ音声データとして変換することを特徴とする。
【００５９】
第１９の技術手段は、前記第１５乃至第１８の技術手段のいずれかに記載のデータ変換方法であって、前記データ変換ステップに入力される音声データのデータ形式として、リニアＰＣＭ音声データの他に、該リニアＰＣＭ音声データの種別を含む音声識別情報を構成するヘッダ情報が含まれるデータストリームの形式で入力されるものであり、前記データ変換ステップにおいてリニアＰＣＭ音声データを２重音声データからステレオ音声データに変換する際に、前記データストリームに含まれる前記ヘッダ情報の前記音声識別情報を２重音声からステレオ音声を示す情報に変更して設定することを特徴とする。
【００６０】
第２０の技術手段は、前記第１５乃至第１８の技術手段のいずれかに記載のデータ変換方法であって、前記データストリームの形式が、ＩＳＯ／ＩＥＣ１３８１８−１規格に規定されたＭＰＥＧ−ＰＳ（Ｐｒｏｇｒａｍ  Ｓｔｒｅａｍ）であることを特徴とする。
【００６１】
第２１の技術手段は、前記第１５乃至第１９の技術手段のいずれかに記載のデータ変換方法であって、前記記録媒体記録ステップが前記データ変換ステップで処理されたデータをデータ記録媒体に記録する際に、リニアＰＣＭ音声データの他に、該リニアＰＣＭ音声データを管理するための管理情報を付加して記録するものであり、前記データ変換ステップにおいてリニアＰＣＭ音声データを２重音声データからステレオ音声データに変換した場合、前記管理情報に該リニアＰＣＭ音声データがステレオ音声である旨を設定することを特徴とする。
【００６２】
第２２の技術手段は、前記第２０又は第２１の技術手段に記載のデータ変換方法であって、前記データ変換方法に入力されるデータ形式が、ＤＶＤのＶＲ（Ｖｉｄｅｏ  Ｒｅｃｏｒｄｉｎｇ）規格に規定された形式であり、前記データ変換ステップで処理されて、前記記録媒体記録ステップがデータ記録媒体に記録するデータ形式が、ＤＶＤのビデオ規格及び／又はＤＶＤのＶＲ規格に規定された形式であることを特徴とする。
【００６３】
第２３の技術手段は、前記第１５乃至第２２の技術手段のいずれかに記載のデータ変換方法であって、前記２重音声選択ステップが、デフォルト状態として予め設定された標準的な音声データの選択方法に基づいて、２重音声のリニアＰＣＭ音声データを構成する主音声データと副音声データとのうちいずれかのリニアＰＣＭ音声データを選択する、又は、該主音声データと該副音声データとの間の演算方法を選択することを特徴とする。
【００６４】
第２４の技術手段は、前記第２３の技術手段に記載のデータ変換方法であって、前記２重音声選択ステップがデフォルト状態として予め設定された標準的な音声データの選択方法として、標準的な等速ダビングにおける音声データの選択方法として予め設定されている選択方法を用いることを特徴とする。
【００６５】
第２５の技術手段は、前記第２３又は第２４の技術手段に記載のデータ変換方法であって、前記２重音声選択ステップがデフォルト状態として予め設定された標準的な音声データの選択方法として、標準的な高速ダビングにおける音声データの選択方法として予め設定されている選択方法を用いることを特徴とする。
【００６６】
第２６の技術手段は、前記第２３乃至第２５の技術手段のいずれかに記載のデータ変換方法であって、前記２重音声選択方法がデフォルト状態として予め設定された標準的な音声データの選択方法として、ＡＶ（Ａｕｄｉｏ−Ｖｉｄｅｏ）ストリームに含まれている音声ストリームが２重音声の場合にビデオ規格としてデータ記録媒体に記録する際の標準的なＡＶストリームの選択方法として主音声データ、副音声データのいずれを記録するか、又は、該主音声データと該副音声データとの間でどのような演算を行なった演算結果を記録するかに関して予め設定されている選択方法を用いることを特徴とする。
【００６７】
第２７の技術手段は、前記第２３乃至第２６の技術手段のいずれかに記載のデータ変換方法であって、前記２重音声選択ステップがデフォルト状態として予め設定された標準的な音声データの選択方法として、ＡＶ（Ａｕｄｉｏ−Ｖｉｄｅｏ）ストリームに含まれている音声ストリームが２重音声の場合に音声データを再生する際の標準的なＡＶストリームの選択方法として主音声データ、副音声データのいずれを再生するか、又は、該主音声データと該副音声データとの間でどのような演算を行なった演算結果を再生するかに関して予め設定されている選択方法を用いることを特徴とする。
【００６８】
第２８の技術手段は、前記第２３乃至第２７の技術手段のいずれかに記載のデータ変換方法であって、前記２重音声選択ステップが、デフォルト状態として予め設定された標準的な音声データの選択方法を用いる代わりに、ユーザが任意に設定した音声データの選択方法を用いることができることを特徴とする。
【００６９】
第２９の技術手段は、前記第１５乃至第２８の技術手段のいずれかに記載のデータ変換方法を、コンピュータにより実行可能なプログラムとして実施するデータ変換プログラムとすることを特徴とする。
【００７０】
第３０の技術手段は、前記第２９の技術手段に記載のデータ変換プログラムをコンピュータにより読み取り可能な記録媒体に記録したプログラム記録媒体とすることを特徴とする。
【発明の効果】
【００７１】
以上のごとき各技術手段のいずれかから構成される本発明によれば、次のような効果が齎される。
従来の技術では、高速ダビングを前提とした記録を行なう場合、２重音声即ちデュアルモノラルの音声ストリームを記録することができないか、あるいは、タイトル途中にデュアルモノラル音声とステレオ音声とが混在した音声ストリームを記録することができず、主音声あるいは副音声のいずれか一方を選択して記録せざるを得なかった。
【００７２】
本発明によれば、高速ダビングを前提とした記録を行なう場合に、デュアルモノラル音声即ち２重音声のリニアＰＣＭ音声データであった場合でも、そのまま２重音声のリニアＰＣＭ音声として記録することができる。このため、高速ダビングを前提として記録した場合においても、主音声、副音声のいずれでも再生することが可能である。
また、２重音声を含むリニアＰＣＭ音声データを有するＡＶストリームを、ビデオ規格に基づいて、データ記録媒体へ高速ダビングする場合は、予め任意に設定された選択方法に基づいて、主音声データと副音声データとのいずれかを選択して、選択した同じ音声データを、主音声データと副音声データとの両方に設定したり、あるいは、予め任意に設定された演算方法に基づいて、主音声データと副音声データとの間の演算を施し、演算された音声データを、主音声データと副音声データとの両方に設定したりして、ステレオ音声に変換することができる。
【００７３】
而して、本発明は、デュアルモノラル音声即ち２重音声の音声ストリームのみの音声ストリームであっても、あるいは、タイトル途中にデュアルモノラル音声即ち２重音声とステレオ音声とが混合した音声ストリームであっても、ＰＴＳに変更が伴わず、オーディオバッファが破綻することもなく、ビデオ規格準拠のステレオ音声データへの高速変換が可能となり、ユーザの利便性を大幅に向上することができる。
【発明を実施するための最良の形態】
【００７４】
以下、本発明に係るデータ変換装置、データ変換方法、データ変換プログラム及びプログラム記録媒体を実施するための最良の形態について図を用いて説明する。なお、以下の説明においては、本発明に係るデータ変換装置及びデータ変換方法に関する実施形態の一例について説明し、本発明に係るデータ変換プログラム及びプログラム記録媒体に関する実施形態の説明は省略するが、データ変換装置及びデータ変換方法に関する詳細な説明から、本データ変換方法をコンピュータによりプログラムとして実行するデータ変換プログラム、及び、該データ変換プログラムをコンピュータにより読み取り可能な記録媒体に記録するプログラム記録媒体についても容易に理解することができる。
【００７５】
まず、本発明に係るデータ変換装置の第１の実施例について説明する。図１は、本発明に係るデータ変換装置の機能構成の一例を示す機能ブロック構成図である。図１に示す通り、本実施例におけるデータ変換装置１０は、図８に示した従来のデータ記録装置５０と略同様に、ＶＲ規格のＡＶストリームを入力とし、図示していないデータ記録媒体にビデオ規格のＡＶストリームに変換して記録する機能構成を備えているが、図８のデータ記録装置５０のデータ変換部５１とは異なり、ストリーム分離部５１４の代わりに、データ変換部１１には２重音声選択部１１５を備えていると共に、音声データ変換部１１４を備えている。なお、本実施例におけるデータ変換装置１０へ入力するＡＶストリームに含まれる音声ストリームとしては、ＭＰＥＧ方式やドルビーデジタル方式などの圧縮音声データではなく、非圧縮方式のリニアＰＣＭ符号化の音声データであることを前提としている。
【００７６】
図１に示す本発明に係るデータ変換装置１０について更に詳細に説明する。
データ変換部１１は、音声データ入替部１１１、ＲＤＩ→ＮＶ変換部１１２、音声データ抽出部１１３、音声データ変換部１１４及び２重音声選択部１１５から構成されている。データ変換部１１は、前述のように、ＶＲ規格準拠のフォーマットからなるＡＶストリーム即ちＡＶデータを入力とし、ＮＶ規格準拠のＡＶストリームに変換して出力する。
【００７７】
即ち、データ変換部１１に入力されたＡＶストリームは、音声データ入替部１１１と音声データ抽出部１１３とに入力される。音声データ抽出部１１３は、入力されたＡＶストリームにデュアルモノラル音声即ち２重音声のリニアＰＣＭ音声データが含まれているか否かを識別し、２重音声の音声ストリームを抽出して、音声データ変換部１１４へ出力している。
【００７８】
音声データ変換部１１４では、入力された２重音声の音声ストリームの中から、２重音声選択部１１５で任意に選択されている選択方法に基づいて、主音声データあるいは副音声データのいずれかを選択し、選択された音声データを選択されていない副音声データあるいは主音声データに設定することにより、同一の音声データを主音声データ及び副音声データの両方に設定して、ステレオ音声のリニアＰＣＭ音声データに変換する。
【００７９】
あるいは、２重音声選択部１１５で任意に選択されている選択方法（演算方法）に基づいて、例えば主音声データと副音声データとを加算した後「２」で除算するなどの演算処理を行ない、演算処理後の音声データを主音声データ及び副音声データの両方に共通して設定して、ステレオ音声のリニアＰＣＭデータに変換する。音声データ変換部１１４にてステレオ音声のリニアＰＣＭデータに変換された音声ストリームは、音声データ入替部１１１に出力される。
【００８０】
音声データ入替部１１１では、入力されたオリジナルのＡＶストリームに含まれる音声ストリームがデュアルモノラル音声即ち２重音声の音声ストリームであった場合には、音声データ変換部１１４にて変換されたステレオ音声の音声ストリームをオリジナルのリニアＰＣＭ符号化音声ストリームと入れ替えて、ＲＤＩ→ＮＶ変換部１１２に出力する。
【００８１】
ＲＤＩ→ＮＶ変換部１１２では、音声データ入替部１１１から出力されるＡＶストリームを入力とし、該ＡＶストリーム中のＲＤＩヘッダをＮＶヘッダに変換して、ビデオ規格準拠のフォーマットのＡＶストリームとして、記録媒体記録部１２に対して出力する。
【００８２】
管理情報設定部１３では、図８に示す従来のデータ記録装置５０の管理情報設定部５３と略同様に、オリジナルのＡＶストリームに含まれる音声ストリームが２重音声の音声ストリームであった場合には、２重音声選択部１１５により選択された選択方法に基づくステレオ音声の音声ストリームに変換していることを、ＤＶＤやＨＤＤなどのデータ記録媒体の記録フォーマットに従った管理情報として生成し、記録媒体記録部１２に出力する。
【００８３】
記録媒体記録部１２は、管理情報設定部１３から出力された管理情報と共に、データ変換部１１のＲＤＩ→ＮＶ変換部１１２から出力されたＡＶストリームを、ＤＶＤやＨＤＤなどのデータ記録媒体の記録フォーマットに適合したデータ形式として記録する。
【００８４】
なお、入力された２重音声の音声ストリームの選択方法を予め設定する２重音声選択部１１５は、等速ダビング設定部１１５ａ、高速ダビング設定部１１５ｂ、Ｖｉｄｅｏ記録設定部１１５ｃ、再生音声設定部１１５ｄ、予約設定部１１５ｅを備えて構成されている。等速ダビング設定部１１５ａは、ＡＶストリームを再生してから記録する等速ダビングを行なう際に、ＡＶストリームの音声ストリームがデュアルモノラル音声即ち２重音声であった場合に、主音声、副音声のいずれの音声データを記録するかを標準的な等速ダビングにおける音声データの選択方法として、デフォルト状態として予め設定されている設定値をそのまま用いて設定するものである。
【００８５】
また、高速ダビング設定部１１５ｂは、ＡＶストリーム再生することなくそのまま記録する高速ダビングを行なう際に、ＡＶストリームの音声ストリームがデュアルモノラル音声即ち２重音声であった場合に、主音声、副音声のいずれの音声データを用いてステレオ音声データとして記録するか、あるいは、両者の音声データに対して施すべき適切な演算方法を指定して演算結果の音声データについてステレオ音声データとして記録するかを標準的な高速ダビングにおける音声データの選択方法として、デフォルト状態として予め設定されている設定値をそのまま用いて設定するものである。
【００８６】
また、Ｖｉｄｅｏ記録設定部１１５ｃは、入力されてくるＡＶストリームのうち、ＡＶストリームに含まれている音声ストリームが２重音声の場合にＤＶＤディスクなどのデータ記録媒体にビデオ規格で記録する標準的なＡＶストリームの記録方法として、主音声データ、副音声データのいずれを記録するか、又は、該主音声データと該副音声データとの間でどのような演算を行なった演算結果を記録するかに関して、デフォルト状態として予め設定されている設定値をそのまま用いて設定するものである。また、再生音声設定部１１５ｄは、ＡＶストリームに含まれている音声ストリームが２重音声の場合に標準的なＡＶストリームの再生方法として、主音声データ、副音声データのいずれを再生するか、又は、該主音声データと該副音声データとの間でどのような演算を行なった演算結果を再生するかに関して、デフォルト状態として予め設定されている設定値をそのまま用いて設定するものである。
【００８７】
更には、予約設定部１１５ｅは、ユーザがダビングを行なう際に又はダビング予約を行なう際に、デフォルト状態として予め設定された標準的ないずれかの選択方法を用いるのではなく、ユーザの目的や嗜好に合った音声データを予め任意に選択して設定するものである。ここで、以上の等速ダビング設定部１１５ａや高速ダビング設定部１１５ｂやＶｉｄｅｏ記録設定部１１５ｃや再生音声設定部１１５ｄや予約設定部１１５ｅのいずれか１つの選択・設定方法を用いたり、あるいは、複数の選択・設定方法の組み合わせを用いることも可能である。
【００８８】
ここで、音声データ変換部１１４におけるオーディオデータの変換処理の一例について、図３を用いて、より具体的に説明する。図３は、図１に示す本発明に係るデータ変換装置１０におけるオーディオデータの変換方法を示す模式図であり、入力されたＶＲ規格のＡＶストリームがデュアルモノラル即ち２重音声の音声ストリームを含むＡＶストリームであった場合に、２重音声選択部１１５により選択された選択方法として、主音声データを用いてステレオ音声に変換する場合を例に取って示している。
【００８９】
即ち、入力されたＶＲ規格のＡＶストリームからリニアＰＣＭ形式のデュアルモノラル即ち２重音声の音声ストリームを抽出し、抽出された２重音声の音声ストリームを主音声及び副音声の２つの音声データからなるモノラル音声に分解し、２重音声選択部１１５により選択された主音声データを用いてステレオ音声に変換し、オリジナルの２重音声の音声ストリームの代わりに、変換されたステレオ音声ストリームに入れ替える方法を具体的に示している。
【００９０】
図３に示すように、ＶＲ規格のＡＶストリーム３０に含まれている音声ストリームのＡ１パケット３２、Ａ２パケット３３が、デュアルモノラル即ち２重音声の音声ストリームであると音声データ抽出部１１３で識別され、かつ、抽出されて、音声データ変換部１１４に入力される。音声データ変換部１１４では、音声ストリームのＡ１パケット３２とＡ２パケット３３とのそれぞれに含まれている主音声１  ３２１、副音声１  ３２２、…、主音声ｎ  ３２３、副音声ｎ  ３２４と、主音声（ｎ＋１）３３１、副音声（ｎ＋１）３３２、…、主音声２ｎ  ３３３、副音声２ｎ  ３３４とが、主音声と副音声とに分離されて、２重音声選択部１１５により選択された選択方法に基づいて、主音声１  ３２１、…、主音声ｎ  ３２３と主音声（ｎ＋１）３３１、…、主音声２ｎ  ３３３との主音声データがそれぞれ抽出される。
【００９１】
しかる後、それぞれの主音声データはコピーされて、主音声１  ３２１、主音声１  ３２１′、…、主音声ｎ  ３２３、主音声ｎ  ３２３′のステレオ音声データと主音声（ｎ＋１）３３１、主音声（ｎ＋１）３３１′、…、主音声２ｎ  ３３３、主音声２ｎ  ３３３′のステレオ音声データとに変換されて、Ａ１′パケット３２′とＡ２′パケット３３′として編集される。
【００９２】
一方、音声データ入替部１１１では、音声データ抽出部１１３にて２重音声の音声ストリームであることが識別された場合、オリジナルのＶＲ規格のＡＶストリーム３０に含まれている音声ストリームのＡ１パケット３２、Ａ２パケット３３を、音声データ変換部１１４から出力されたＡ１′パケット３２′、Ａ２′パケット３３′に置換して、ＲＤＩ→ＮＶ変換部１１２に出力する。ＲＤＩ→ＮＶ変換部１１２では、音声データ入替部１１１からのＡＶストリームのＲＤＩパック３１をＮＶパック３４に変換して、ビデオ規格準拠のＡＶストリーム３０′を生成して、記録媒体記録部１２に対して出力する。
【００９３】
図３に示した変換例では、２重音声のオーディオパックを含むＶＯＢＵのパック列から２重音声の音声ストリームを抽出して、抽出された音声ストリームのうち、主音声のみを取り出し、副音声の部分にも同じ主音声データを設定することにより、ステレオ音声に変換している例を説明した。しかし、本発明に係るデータ変換装置においては、逆に、主音声データを副音声データに置き換えても良く、また、主音声データと副音声データとに適切な演算を施して、例えば、主音声データと副音声データを加算した後に「２」で除算する算術平均処理などを行なって、両方の音声ストリームに設定するような構成としても良い。
【００９４】
図３に示す音声データの変換例においては、Ａ１パケット３２とＡ１′パケット３２′とＡ２パケット３３とＡ２′パケット３３′とのＳＣＲ（Ｓｙｓｔｅｍ  Ｃｌｏｃｋ  Ｒｅｆｅｒｅｎｃｅ）は等しいので、変換する必要はない。更に、ＰＴＳ（Ｐｒｅｓｅｎｔａｔｉｏｎ  Ｔｉｍｅ  Ｓｔａｍｐ）についても、Ａ１パケット３２とＡ１′パケット３２′とＡ２パケット３３とＡ２′パケット３３′とが等しいので、前述した従来例のごとくＡ２パケット６３のＰＴＳをＡ１パケット６２と同じＰＴＳに変更する必要がなくなる。このため、オーディオバッファモデルに変更が生じることはなく、従来例のようなオーディオバッファが破綻するという課題を解決することができる。
【００９５】
また、図１、図３に示した本発明に係るデータ変換装置１０においては、ＤＶＤディスクなどのデータ記録媒体に記録するためのフォーマットからなるＶＲ規格のＡＶストリームから、ビデオ規格への変換を行なう場合について説明をしたが、入出力するＡＶストリームのフォーマットに関しては、如何なるフォーマットであっても良い。例えば、入出力フォーマットをＭＰＥＧ−ＴＳ（Ｔｒａｎｓｐｏｒｔ  Ｓｔｒｅａｍ）フォーマットで、２重音声をステレオ音声にデータ変換しても、バッファモデルの破綻を起こさず、全く問題なく変換することが可能である。
【００９６】
次に、図１に示すデータ変換装置１０におけるデータ変換方法の動作について、図４に示すフローチャートを用いて更に説明する。図４は、本発明に係るデータ変換方法の一例を示す動作フローチャートである。
まず、ＶＲ規格準拠のＡＶストリームをデータ変換装置１０に読み込む（ステップＳ０１）。読み込まれたＡＶストリームの中から、デュアルモノラル音声即ち２重音声の音声ストリームを抽出する（ステップＳ０２）。次のステップＳ０３からＳ０７までは、ステップＳ０２にて抽出されたＶＲ規格準拠のデュアルモノラル音声即ち２重音声のリニアＰＣＭ音声データをビデオ規格に準拠可能なステレオ音声データに変換するステップである。ここでは、ステップＳ０１で入力されるＡＶストリームに含まれている音声ストリームは、２重音声の音声データのみに限定している。
【００９７】
ここで、まず、ステップＳ０２にて抽出された２重音声のリニアＰＣＭ音声データのうち、主音声データを主副の両方の音声データに設定するか否かの判定を行なう（ステップＳ０３）。主音声データを主副の両方の音声データに設定すると判定された場合（ステップＳ０３のＹＥＳ）、主音声データにより副音声データを入れ替えて設定して、リニアＰＣＭのステレオ音声データに変換する（ステップＳ０４）。
【００９８】
一方、主音声データを主副の両方の音声データには設定しないと判定された場合には（ステップＳ０３のＮＯ）、副音声データを主副の両方の音声データに設定するか否かの判定を行なう（ステップＳ０５）。副データを主副の両方の音声データに設定すると判定された場合（ステップＳ０５のＹＥＳ）、副音声データにより主音声データを入れ替えて設定して、リニアＰＣＭのステレオ音声データに変換する（ステップＳ０６）。
【００９９】
一方、副音声データも主副の両方の音声データには設定しないと判定された場合には（ステップＳ０５のＮＯ）、主音声データと副音声データとを予め任意に設定されている演算方法（例えば、主音声データと副音声データとを加算した後「２」で除算する算術平均演算など）に基づいて演算し、得られた演算結果により主音声データと副音声データとの両方を入れ替えて設定して、リニアＰＣＭのステレオ音声データに変換する（ステップＳ０７）。
【０１００】
次に、入力された２重音声のリニアＰＣＭ音声データのオリジナル音声データからなるＡＶストリームを、変換された音声データからなるＡＶストリームに入れ替える（ステップＳ０８）。
ステップＳ０８で、変換された音声データからなるＡＶストリームに入れ替えたＡＶストリームを入力として、該ＡＶストリーム中のＲＤＩヘッダをＮＶヘッダに変換して、ビデオ規格準拠のＡＶストリームに変換する（ステップＳ０９）。
【０１０１】
更に、２重音声をステレオ音声の音声ストリームに変換した旨を示すように、画像や音声の属性情報などのタイトル情報を含む管理情報を生成して（ステップＳ１０）、最後に、ステップＳ０９で作成されたビデオ規格準拠のＡＶストリームとステップＳ１０で生成された管理情報とをデータ記録媒体に記録する（ステップＳ１１）。
【０１０２】
本発明に係るデータ変換方法においては、前述のデータ変換装置１０において説明したように、入出力ＡＶストリームのフォーマットに関しては、如何なるフォーマットであっても良い。例えば、入出力フォーマットをＭＰＥＧ−ＴＳフォーマットとして、２重音声からステレオ音声にデータ変換しても、バッファモデルの破綻を起こさず、全く問題なく変換することが可能である。
但し、図１に示すデータ変換装置１０において適用される本データ変換方法は、ＡＶストリーム中にステレオ音声と２重音声とが混在した音声ストリームが存在しているような場合には、データ変換処理を施すことはできなく、入力ＡＶストリーム中の音声ストリームが２重音声のみの場合に適用可能なデータ変換方法となっている。
【０１０３】
次に、本発明に係るデータ変換装置の第２の実施例について、図２を用いて説明する。図２は、本発明に係るデータ変換装置の機能構成の異なる例を示す機能ブロック構成図である。
実施例１における構成の場合においては、前述したように、或るタイトルのＡＶストリーム中に、例えばステレオ音声と２重音声とが混合した音声ストリームが含まれているような場合には処理することはできず、或るタイトルのＡＶストリーム中の音声ストリームが最初から最後まで同一の音声ストリーム例えばデュアルモノラル音声即ち２重音声の音声ストリームのみから構成されている場合にしか、ビデオ規格にデータ変換することができない。
【０１０４】
図２に示すデータ変換装置２０においては、ステレオ音声のみ、もしくは、ステレオ音声と２重音声とが混在した音声ストリームを含むＡＶストリームについても、ＶＲ規格からビデオ規格のＡＶストリームに変換可能とするものである。ここに、図２に示すデータ変換装置２０は、図１に示すデータ変換装置１０と略同様の機能構成を備えているが、データ変換装置２０のデータ変換部２１は、図１のデータ変換装置１０のデータ変換部１１に対して、更に、入力音声の種別を判定する入力音声判定部２１６を備えて構成されている。
【０１０５】
図２に示す本発明に係るデータ変換装置２０について更に詳細に説明する。
データ変換部２１は、音声データ入替部２１１、ＲＤＩ→ＮＶ変換部２１２、音声データ抽出部２１３、音声データ変換部２１４、２重音声選択部２１５及び入力音声判定部２０８から構成されている。
データ変換部２１は、図１のデータ変換部１１と同様に、ＶＲ規格準拠のフォーマットからなるＡＶストリーム即ちＡＶデータを入力とし、ＮＶ規格準拠のＡＶストリームに変換して出力する。
【０１０６】
即ち、データ変換部２１に入力されたＡＶストリームは、音声データ入替部２１１と音声データ抽出部２１３とに入力される。ここで、データ変換部２１に入力されたＡＶストリームは、図１のデータ変換装置１０の場合と異なり、ＡＶストリームに含まれる音声ストリームとしては、デュアルモノラル即ち２重音声のみに限るものではなく、ステレオ音声と２重音声とが混在していても良い。音声データ抽出部２１３は、入力されたＡＶストリームにデュアルモノラル音声即ち２重音声あるいはステレオ音声のリニアＰＣＭ音声データが含まれているか否かを識別し、２重音声あるいはステレオ音声のリニアＰＣＭ音声ストリームを抽出し、音声データ変換部２１４と入力音声判定部２１６とに出力している。
【０１０７】
入力音声判定部２１６では、入力されたリニアＰＣＭ音声ストリームが２重音声とステレオ音声とのいずれかを判定し、その判定結果を音声データ変換部２１４に対して出力する。
【０１０８】
音声データ変換部２１４では、入力音声判定部２１６から出力されたリニアＰＣＭ音声ストリームの判定結果に基づいて、入力されたリニアＰＣＭ音声ストリームの中から２重音声の音声ストリームのみを抽出し、更に、２重音声選択部２１５で任意に選択されている選択方法に基づいて、抽出した２重音声の音声ストリームの中から、主音声データあるいは副音声データのいずれかを選択し、選択された音声データを選択されていない副音声データあるいは主音声データに設定することにより、同一の音声データを主音声データ及び副音声データの両方に設定して、ステレオ音声のリニアＰＣＭ音声データに変換する。
【０１０９】
あるいは、２重音声選択部２１５で任意に選択されている選択方法（演算方法）に基づいて、例えば抽出した２重音声の音声ストリーム中の主音声データと副音声データとを加算した後「２」で除算するなどの演算処理を行ない、演算処理後の音声データを主音声データ及び副音声データの両方に共通して設定して、ステレオ音声のリニアＰＣＭデータに変換する。音声データ変換部２１４にてステレオ音声のリニアＰＣＭデータに変換された音声ストリームは、音声データ入替部２１１に出力される。
但し、音声データ変換部２１４から音声データ入替部２１１に対して出力される音声ストリームは、２重音声の音声ストリームを変換したステレオ音声リニアＰＣＭデータのみでなく、変換対象としていないステレオ音声の部分をも含めて出力するようにしている。
【０１１０】
以降の処理は、図１のデータ変換装置１０の場合と全く同様である。即ち、音声データ入替部２１１では、入力されたオリジナルのＡＶストリームに含まれる音声ストリームがデュアルモノラル音声即ち２重音声の音声ストリームであった場合には、音声データ変換部２１４にて変換されたステレオ音声の音声ストリームをオリジナルのリニアＰＣＭ符号化音声ストリームと入れ替えて、ＲＤＩ→ＮＶ変換部２１２に出力する。
【０１１１】
ＲＤＩ→ＮＶ変換部２１２では、音声データ入替部２１１から出力されるＡＶストリームを入力とし、該ＡＶストリーム中のＲＤＩヘッダをＮＶヘッダに変換して、ビデオ規格準拠のフォーマットのＡＶストリームとして、記録媒体記録部２２に対して出力する。
【０１１２】
管理情報設定部２３では、オリジナルのＡＶストリームに含まれる音声ストリームが２重音声の音声ストリームであった場合には、２重音声選択部２１５により選択された選択方法に基づくステレオ音声の音声ストリームに変換していることを、ＤＶＤやＨＤＤなどのデータ記録媒体の記録フォーマットに従った管理情報として生成し、記録媒体記録部２２に出力する。
【０１１３】
記録媒体記録部２２は、管理情報設定部２３から出力された管理情報と共に、データ変換部１１のＲＤＩ→ＮＶ変換部２１２から出力されたＡＶストリームを、ＤＶＤやＨＤＤなどのデータ記録媒体の記録フォーマットに適合したデータ形式として記録する。
【０１１４】
なお、入力された２重音声の音声ストリームの選択方法を予め設定する２重音声選択部２１５は、図１に示すデータ変換装置１０の２重音声選択部１１５と同様に、等速ダビング設定部２１５ａ、高速ダビング設定部２１５ｂ、Ｖｉｄｅｏ記録設定部２１５ｃ、再生音声設定部２１５ｄ、予約設定部２１５ｅを備えて構成されている。等速ダビング設定部２１５ａは、ＡＶストリームを再生してから記録する等速ダビングを行なう際に、ＡＶストリームの音声ストリームがデュアルモノラル音声即ち２重音声であった場合に、主音声、副音声のいずれの音声データを記録するかを標準的な等速ダビングにおける音声データの選択方法として、デフォルト状態として予め設定されている設定値をそのまま用いて設定するものである。
【０１１５】
また、高速ダビング設定部２１５ｂは、ＡＶストリーム再生することなくそのまま記録する高速ダビングを行なう際に、ＡＶストリームの音声ストリームがデュアルモノラル音声即ち２重音声であった場合に、主音声、副音声のいずれの音声データを用いてステレオ音声データとして記録するか、あるいは、両者の音声データに対して施すべき適切な演算方法を指定して演算結果の音声データについてステレオ音声データとして記録するかを標準的な高速ダビングにおける音声データの選択方法として、デフォルト状態として予め設定されている設定値をそのまま用いて設定するものである。
【０１１６】
また、Ｖｉｄｅｏ記録設定部２１５ｃは、入力されてくるＡＶストリームのうち、ＡＶストリームに含まれている音声ストリームが２重音声の場合にＤＶＤディスクなどのデータ記録媒体にビデオ規格で記録する標準的なＡＶストリームの記録方法として、主音声データ、副音声データのいずれを記録するか、又は、該主音声データと該副音声データとの間でどのような演算を行なった演算結果を記録するかに関して、デフォルト状態として予め設定されている設定値をそのまま用いて設定するものである。また、再生音声設定部２１５ｄは、ＡＶストリームに含まれている音声ストリームが２重音声の場合に標準的なＡＶストリームの再生方法として、主音声データ、副音声データのいずれを再生するか、又は、該主音声データと該副音声データとの間でどのような演算を行なった演算結果を再生するかに関して、デフォルト状態として予め設定されている設定値をそのまま用いて設定するものである。
【０１１７】
更には、予約設定部２１５ｅは、ユーザがダビングを行なう際に又はダビング予約を行なう際に、デフォルト状態として予め設定された標準的ないずれかの選択方法を用いるのではなく、ユーザの目的や嗜好に合った音声データを予め任意に選択して設定するものである。ここで、以上の等速ダビング設定部２１５ａや高速ダビング設定部２１５ｂやＶｉｄｅｏ記録設定部２１５ｃや再生音声設定部２１５ｄや予約設定部２１５ｅのいずれか１つの選択・設定方法を用いたり、あるいは、複数の選択・設定方法の組み合わせを用いることも可能である。
【０１１８】
以上のような図２に示すデータ変換装置２０の構成の場合においても、ＳＣＲ（Ｓｙｓｔｅｍ  Ｃｌｏｃｋ  Ｒｅｆｅｒｅｎｃｅ）とＰＴＳ（Ｐｒｅｓｅｎｔａｔｉｏｎ  Ｔｉｍｅ  Ｓｔａｍｐ）とを変更する必要はないので、オーディオバッファモデルに変更が生じることはなく、従来例のようなオーディオバッファが破綻するという課題を解決することができる。
【０１１９】
また、図２に示した本発明に係るデータ変換装置２０においては、ＤＶＤディスクなどのデータ記録媒体に記録するためのフォーマットからなるＶＲ規格のＡＶストリームから、ビデオ規格への変換を行なう場合について説明をしたが、図１に示すデータ変換装置１０の場合と同様に、入出力するＡＶストリームのフォーマットに関しては、如何なるフォーマットであっても良い。例えば、入出力フォーマットをＭＰＥＧ−ＴＳ（Ｔｒａｎｓｐｏｒｔ  Ｓｔｒｅａｍ）フォーマットとして、２重音声からステレオ音声にデータ変換しても、バッファモデルの破綻を起こさず、全く問題なく変換することが可能である。
【０１２０】
次に、図２に示すデータ変換装置２０におけるデータ変換方法の動作について、図５に示すフローチャートを用いて更に説明する。図５は、本発明に係るデータ変換方法の異なる例を示す動作フローチャートである。
図５に示すフローチャートは、図４に示したフローチャートと略同一であり、ステップＳ０３ａに示す判定ステップが追加されていることのみが異なっている。図５のフローチャートに従って、データ変換方法の動作を説明すると、次の通りである。
【０１２１】
まず、ＶＲ規格準拠のＡＶストリームをデータ変換装置２０に読み込む（ステップＳ０１）。読み込まれたＡＶストリームの中から、音声ストリームを抽出する（ステップＳ０２）。ここで、ステップＳ０１において読み込まれるＡＶストリームに含まれている音声データは、２重音声のみでなく、ステレオ音声のみの場合や、ステレオ音声と２重音声とが混在した音声データであっても良く、図４に示す入力ＡＶストリームと比較して、適用範囲が広く、ユーザへの利便性が広がっている。
【０１２２】
従って、次のステップＳ０３ａでは、入力された音声データを２重音声か否かを判定し、２重音声の音声データであれば（ステップＳ０３ａのＹＥＳ）、ステップＳ０３へ移行し、２重音声の音声データをステレオ音声データに変換する処理に入る。一方、２重音声の音声データではないと判定された場合は（ステップＳ０３ａのＮＯ）、データ変換の対象の音声データではないものとして、ステップＳ０８へ移行する。あるいは、ステップＳ０９へ移行しても良い。
【０１２３】
ステップＳ０３ａにおいて２重音声の音声データと判定された場合に（ステップＳ０３ａのＹＥＳ）、次のステップＳ０３からＳ０７までは、ステップＳ０２にて抽出されたＶＲ規格準拠のデュアルモノラル音声即ち２重音声のリニアＰＣＭ音声データをビデオ規格に準拠可能なステレオ音声データに変換するステップである。ここでは、ステップＳ０１で入力されるＡＶストリームに含まれている音声ストリームのうち、２重音声のリニアＰＣＭ音声データのみを抽出して、データ変換を行なうようにしている。
【０１２４】
ここで、まず、ステップＳ０２にて抽出された２重音声のリニアＰＣＭ音声データのうち、主音声データを主副の両方の音声データに設定するか否かの判定を行なう（ステップＳ０３）。主音声データを主副の両方の音声データに設定すると判定された場合（ステップＳ０３のＹＥＳ）、主音声データにより副音声データを入れ替えて設定して、リニアＰＣＭのステレオ音声データに変換する（ステップＳ０４）。
【０１２５】
一方、主音声データを主副の両方の音声データには設定しないと判定された場合には（ステップＳ０３のＮＯ）、副音声データを主副の両方の音声データに設定するか否かの判定を行なう（ステップＳ０５）。副データを主副の両方の音声データに設定すると判定された場合（ステップＳ０５のＹＥＳ）、副音声データにより主音声データを入れ替えて設定して、リニアＰＣＭのステレオ音声データに変換する（ステップＳ０６）。
【０１２６】
一方、副音声データも主副の両方の音声データには設定しないと判定された場合には（ステップＳ０５のＮＯ）、主音声データと副音声データとを予め任意に設定されている演算方法（例えば、主音声データと副音声データとを加算した後「２」で除算する算術平均演算など）に基づいて演算し、得られた演算結果により主音声データと副音声データとの両方を入れ替えて設定して、リニアＰＣＭのステレオ音声データに変換する（ステップＳ０７）。
但し、このステップＳ０７では、何も演算処理をしないと判定された場合には、入力データのまま、何らの処理も加えずリニアＰＣＭのステレオ音声データとして出力しても良い。
【０１２７】
次に、入力された２重音声のリニアＰＣＭ音声データのオリジナル音声データからなるＡＶストリームを、変換された音声データからなるＡＶストリームに入れ替える（ステップＳ０８）。
ステップＳ０８で、変換された音声データからなるＡＶストリームに入れ替えたＡＶストリームを入力として、該ＡＶストリーム中のＲＤＩヘッダをＮＶヘッダに変換して、ビデオ規格準拠のＡＶストリームに変換する（ステップＳ０９）。
【０１２８】
更に、２重音声をステレオ音声の音声ストリームに変換した旨を示すように、画像や音声の属性情報などのタイトル情報を含む管理情報を生成して（ステップＳ１０）、最後に、ステップＳ０９で作成されたビデオ規格準拠のＡＶストリームとステップＳ１０で生成された管理情報とをデータ記録媒体に記録する（ステップＳ１１）。
【０１２９】
本発明に係るデータ変換方法においては、前述のデータ変換装置２０において説明したように、入出力ＡＶストリームのフォーマットに関しては、如何なるフォーマットであっても良い。例えば、入出力フォーマットをＭＰＥＧ−ＴＳフォーマットとして、２重音声をステレオ音声にデータ変換しても、バッファモデルの破綻を起こさず、全く問題なく変換することが可能である。
なお、図２に示すデータ変換装置２０において適用される図５の本データ変換方法は、図４に示したデータ変換方法と異なり、ＡＶストリーム中にステレオ音声と２重音声とが混在した音声ストリームが存在しているような場合であっても適用可能なデータ変換方法である。
【０１３０】
次に、本発明に係るデータ変換装置、データ変換方法の実施例について更に説明する。
図１又は図２に示したデータ変換装置１０及び２０の構成においては、前述したように、入出力フォーマットがＤＶＤフォーマットのＶＲ規格やビデオ規格に従う場合、ＩＳＯ／ＩＥＣ１３８１８−１規格に規定されたＭＰＥＧ規格のＭＰＥＧ−ＰＳ（Ｐｒｏｇｒａｍ  Ｓｔｒｅａｍ）フォーマット規格に準じたフォーマットとして入力され記録される。
【０１３１】
更に、音声データ変換部１１４又は２１４では、音声データがリニアＰＣＭデータであり、かつ、ＤＶＤフォーマットのＶＲ規格に従う音声ストリームについて、ビデオ規格に従う音声ストリームに変換する場合、図７にて前述したように、オーディオパック（Ａパック）４５に存在するパケットヘッダ４５ｂ内のデータ情報４５８ｂに含まれているチャンネル情報（音声識別情報）を、デュアルモノラル音声即ち２重音声からステレオ音声の情報に書き換える必要がある。
【０１３２】
また、図４又は図５に示す本発明に係るデータ変換方法の動作フローチャートにおいても、前述したデータ変換装置１０，２０の場合と同様に、入出力フォーマットがＤＶＤフォーマットのＶＲ規格又はビデオ規格に従う場合は、ＩＳＯ／ＩＥＣ１３８１８−１規格に規定されたＭＰＥＧ規格のＭＰＥＧ−ＰＳ（Ｐｒｏｇｒａｍ  Ｓｔｒｅａｍ）フォーマット規格に準じたフォーマットとして入力され記録される。
【０１３３】
更に、音声データがリニアＰＣＭデータであり、かつ、ＤＶＤフォーマットのＶＲ規格に従う音声ストリームについて、ビデオ規格に従う音声ストリームに変換する場合、図７にて前述したように、オーディオパック（Ａパック）４５に存在するパケットヘッダ４５ｂ内のデータ情報４５８ｂに含まれているチャンネル情報（音声識別情報）を、デュアルモノラル音声即ち２重音声からステレオ音声の情報に書き換える必要がある。
【０１３４】
また、図１又は図２に示したデータ変換装置１０及び２０の構成においては、ビデオ規格に変換したＡＶストリームの出力単位を示すタイトルの情報として、当該タイトルの入力ＡＶストリームに音声ストリームが含まれていた場合、該音声ストリームがステレオ音声であることを示す管理情報を管理情報設定部１３又は２３で設定し、記録媒体記録部１２又は２２で該管理情報を記録している。
【０１３５】
ここで、出力フォーマットがＤＶＤフォーマットのビデオ規格に従う場合は、当該タイトルの入力ＡＶストリームにデュアルモノラル音声の音声ストリームが含まれていた場合、該音声ストリームが音声データ変換部１１４又は２１４で変換されたリニアＰＣＭのステレオ音声であることを管理情報に管理情報設定部１３又は２３で設定し、変換されたリニアＰＣＭのステレオ音声としてＤＶＤディスクなどのデータ記録媒体に記録する。
【０１３６】
ＤＶＤフォーマットのＶＲ規格としてＤＶＤディスクなどのデータ記録媒体に記録する場合も同様に、ＡＶストリームの出力単位を示すタイトルの情報として、当該タイトルの入力ＡＶストリームに音声ストリームが含まれていた場合、該音声ストリームがデュアルモノラル音声やステレオ音声であることを管理情報設定部１３又は２３で設定し、記録媒体記録部１２又は２２で管理情報として記録する。なお、オーディオデータのアプリケーションフラグとして備えられているフラグに当該オーディオデータのチャンネルモードが固定である旨を示すように設定しても良い。また、ＤＶＤフォーマットのビデオ規格とＶＲ規格とがタイトル毎に混在してＤＶＤディスクなどのデータ記録媒体に記録することも可能である。
【０１３７】
また、図４又は図５に示す本発明に係るデータ変換方法の動作フローチャートにおいても、前述したデータ変換装置１０，２０の場合と同様に、ビデオ規格に変換したＡＶストリームの出力単位を示すタイトルの情報として、当該タイトルの入力ＡＶストリームに音声ストリームが含まれていた場合、該音声ストリームがステレオ音声であることを図４又は図５のステップＳ１０で管理情報として設定し、ステップＳ１１でＤＶＤディスクなどのデータ記録媒体に記録する。
【０１３８】
ここで、出力フォーマットがＤＶＤフォーマットのビデオ規格に従う場合は、当該タイトルの入力ＡＶストリームにデュアルモノラル音声の音声ストリームが含まれていた場合、該音声ストリームが図４又は図５のステップＳ０３乃至Ｓ０７においてステレオ音声に変換されたリニアＰＣＭのステレオ音声であることを管理情報としてステップＳ１０で設定し、変換されたリニアＰＣＭのステレオ音声としてステップＳ１１でＤＶＤディスクなどのデータ記録媒体に記録する。
【０１３９】
ＤＶＤフォーマットのＶＲ規格としてＤＶＤディスクなどのデータ記録媒体に記録する場合も同様に、ＡＶストリームの出力単位を示すタイトルの情報として、当該タイトルの入力ＡＶストリームに音声ストリームが含まれていた場合、該音声ストリームがデュアルモノラル音声やステレオ音声であることを管理情報としてステップＳ１０で設定し、ステップＳ１１でＤＶＤディスクに記録する。なお、オーディオデータのアプリケーションフラグとして備えられているフラグに当該オーディオデータのチャンネルモードが固定である旨を示すように設定しても良い。また、ＤＶＤフォーマットのビデオ規格とＶＲ規格とがタイトル毎に混在してＤＶＤディスクなどのデータ記録媒体に記録することも可能である。
【０１４０】
また、図１又は図２に示したデータ変換装置１０又は２０の構成においては、デフォルト状態として予め設定された標準的な音声データの選択・設定方法でなく、ユーザの目的や嗜好に合った音声データを任意に選択・設定するようにしても良い。
【０１４１】
即ち、ユーザの目的や嗜好に合った音声データの選択・設定を可能にするために、図１又は図２に示したデータ変換装置１０又は２０の構成の場合、高速ダビング法によるデータ変換時に、２重音声選択部１１５又は２１５でデフォルト状態として予め設定されている音声データの標準的な選択方法を用いる代わりに、ユーザの目的や嗜好に合った音声データを２重音声選択部１１５又は２１５において任意に選択して設定することも可能である。
【０１４２】
また、図４又は図５に示す本発明に係るデータ変換方法の動作フローチャートにおいても、前述したデータ変換装置１０，２０の場合と同様に、デフォルト状態として予め設定された標準的な音声データの選択・設定方法でなく、ユーザの目的や嗜好に合った音声データを任意に選択・設定するようにしても良い。
【０１４３】
即ち、ユーザの目的や嗜好に合った音声データの選択・設定を可能にするために、図４又は図５の動作フローチャートに加え、データ変換に先立って実行するステップとして、２重音声の音声ストリームが入力された場合に、どのように音声データを選択するかを予め任意に設定する２重音声設定ステップを有し、デフォルト状態として予め設定されている音声データの標準的な選択方法を用いる代わりに、前記２重音声設定ステップにて予め任意に選択・設定された選択方法に従って、図４又は図５の動作フローチャートのステップＳ０３乃至Ｓ０７において、入力された２重音声の音声ストリームをステレオ音声の音声ストリームに高速変換して出力することも可能である。
【０１４４】
また、図１又は図２に示すデータ変換装置１０又は２０の構成においては、２重音声選択部１１５又は２１５におけるデフォルト状態の標準的な音声データの選択・設定方法として、図１や図２の２重音声選択部１１５又は２１５において前述したように、例えば、等速ダビング設定部１１５ａ又は２１５ａにおいて標準的な等速ダビングにおける音声データの選択方法として予め設定されている設定値（選択方法）をそのまま用いて設定したり、あるいは、高速ダビング設定部１１５ｂ又は２１５ｂにおいて標準的な高速ダビングにおける音声データの選択方法として予め設定されている設定値（選択方法）をそのまま用いて設定したりしても良い。
【０１４５】
あるいは、Ｖｉｄｅｏ記録設定部１１５ｃ又は２１５ｃにおいてＡＶ（Ａｕｄｉｏ−Ｖｉｄｅｏ）ストリームに含まれている音声ストリームが２重音声の場合にビデオ規格に変換する標準的なＡＶストリームの記録方法として主音声データ、副音声データのいずれを記録するか、又は、該主音声データと該副音声データとの間でどのような演算を行なった演算結果を記録するかに関して予め設定されている設定値（選択方法）をそのまま用いて設定したり、あるいは、再生音声設定部１１５ｄ又は２１５ｄにおいてＡＶ（Ａｕｄｉｏ−Ｖｉｄｅｏ）ストリームに含まれている音声ストリームが２重音声の場合にビデオ規格に変換する標準的なＡＶストリームの再生方法として主音声データ、副音声データのいずれを再生するか、又は、該主音声データと該副音声データとの間でどのような演算を行なった演算結果を再生するかに関して予め設定されている設定値（選択方法）をそのまま用いて設定したりしても良い。
【０１４６】
一方、ユーザがダビングを行なう際に又はダビング予約を行なう際に、予約設定部１１５ｅ又は２１５ｅにおいて、ユーザの目的や嗜好に合った音声データを任意に選択して、ユーザが任意の選択方法を設定することができるようにしても良いし、以上の等速ダビング設定部１１５ａ又は２１５ａや高速ダビング設定部１１５ｂ又は２１５ｂやＶｉｄｅｏ記録設定部１１５ｃ又は２１５ｃや再生音声設定部１１５ｄ又は２１５ｄや予約設定部１１５ｅ又は２１５ｅのいずれか１つの選択・設定方法を用いたり、あるいは、場合に応じて、複数の選択・設定方法の組み合わせを用いることとしても良い。
【０１４７】
また、図４又は図５に示す本発明に係るデータ変換方法の動作フローチャートにおいても、前述したデータ変換装置１０，２０の場合と同様に、前記２重音声設定ステップにおけるデフォルト状態の標準的な音声データの選択・設定方法として、図１や図２の２重音声選択部１１５又は２１５として前述した実現手段と全く同様の選択・設定方法を用いることが可能であり、例えば、標準的な等速ダビングにおける音声データの選択方法として予め設定されている設定値（選択方法）をそのまま用いて設定したり、あるいは、標準的な高速ダビングにおける音声データの選択方法として予め設定されている設定値（選択方法）をそのまま用いて設定したりしても良い。
【０１４８】
あるいは、ＡＶ（Ａｕｄｉｏ−Ｖｉｄｅｏ）ストリームに含まれている音声ストリームが２重音声の場合にビデオ規格に変換する標準的なＡＶストリームの記録方法として主音声データ、副音声データのいずれを記録するか、又は、該主音声データと該副音声データとの間でどのような演算を行なった演算結果を記録するかに関して予め設定されている設定値（選択方法）をそのまま用いて設定したり、あるいは、ＡＶ（Ａｕｄｉｏ−Ｖｉｄｅｏ）ストリームに含まれている音声ストリームが２重音声の場合にビデオ規格に変換する標準的なＡＶストリームの再生方法として主音声データ、副音声データのいずれを再生するか、又は、該主音声データと該副音声データとの間でどのような演算を行なった演算結果を再生するかに関して予め設定されている設定値（選択方法）をそのまま用いて設定したりしても良い。
【０１４９】
一方、ユーザがダビングを行なう際に又はダビング予約を行なう際に、ユーザの目的や嗜好に合った音声データを任意に選択して、ユーザが任意の選択方法を設定することができるようにしても良いし、以上の等速ダビングや高速ダビングやＶｉｄｅｏ記録や再生音声などにおける予め設定された設定値やユーザによる音声データの選択のいずれか１つの選択・設定方法を用いたり、あるいは、場合に応じて、複数の選択・設定方法の組み合わせを用いることとしても良い。
【図面の簡単な説明】
【０１５０】
【図１】本発明に係るデータ変換装置の機能構成の一例を示す機能ブロック構成図である。
【図２】本発明に係るデータ変換装置の機能構成の異なる例を示す機能ブロック構成図である。
【図３】本発明に係るデータ変換装置におけるオーディオデータの変換方法を示す模式図である。
【図４】本発明に係るデータ変換方法の一例を示す動作フローチャートである。
【図５】本発明に係るデータ変換方法の異なる例を示す動作フローチャートである。
【図６】ＤＶＤビデオ規格及びＤＶＤ  ＶＲ規格として規格化されたビデオタイトルの論理フォーマットを示す構成図である。
【図７】ＤＶＤビデオ規格及びＤＶＤ  ＶＲ規格として規格化されたオーディオパックの論理フォーマットを示す構成図である。
【図８】既存技術におけるデータ記録装置の機能構成の一例を示す機能ブロック構成図である。
【図９】従来のデータ記録装置におけるオーディオデータの変換方法を示す模式図である。
【符号の説明】
【０１５１】
１０，２０…データ変換装置、１１，２１…データ変換部、１２，２２…記録媒体記録部、１３，２３…管理情報設定部、３０，３０′…ＡＶストリーム、３１…ＲＤＩパック、３２…Ａ１パケット、３２′…Ａ１′パケット、３３…Ａ２パケット、３３′…Ａ２′パケット、３４…ＮＶパック、４０…ＶＴＳ（Ｖｉｄｅｏ  Ｔｉｔｌｅ  Ｓｅｔ）、４１…ＶＯＢ（Ｖｉｄｅｏ  Ｏｂｊｅｃｔ）、４２…ＶＯＢＵ（Ｖｉｄｅｏ  Ｏｂｊｅｃｔ  Ｕｎｉｔ）、４３…ＮＶパック（Ｎａｖｉｇａｔｉｏｎ  Ｐａｃｋ）、４４…Ｖパック（Ｖｉｄｅｏ  Ｐａｃｋ）、４５…Ａパック（Ａｕｄｉｏ  Ｐａｃｋ）、４５ａ…パックヘッダ、４５ｂ…パケットヘッダ、４５ｃ…オーディオデータ、４６…ＲＤＩパック（Ｒｅａｌ−Ｔｉｍｅ  Ｄａｔａ  Ｉｎｆｏｒｍａｔｉｏｎ  Ｐａｃｋ）、５０…データ記録装置、５１…データ変換部、５２…記録媒体記録部、５３…管理情報設定部、６０，６０′…ＡＶストリーム、６１…ＲＤＩパック、６２…Ａ１パケット、６２′…Ａ１′パケット、６３…Ａ２パケット、６３′…Ａ２′パケット、６４…ＮＶパック、１１１，２１１…音声データ入替部、１１２，２１２…ＲＤＩ→ＮＶ変換部、１１３，２１３…音声データ抽出部、１１４，２１４…音声データ変換部、１１５，２１５…２重音声選択部、１１５ａ，２１５ａ…等速ダビング設定部、１１５ｂ，２１５ｂ…高速ダビング設定部、１１５ｃ，２１５ｃ…Ｖｉｄｅｏ記録設定部、１１５ｄ，２１５ｄ…再生音声設定部、１１５ｅ，２１５ｅ…予約設定部、２１６…入力音声判定部、３２０，３２０′…パケットヘッダ、３２１，３２１′…主音声１、３２２…副音声１、３２３，３２３′…主音声ｎ、３２４…副音声ｎ、３３０，３３０′…パケットヘッダ、３３１，３３１′…主音声（ｎ＋１）、３３２…副音声（ｎ＋１）、３３３，３３３′…主音声２ｎ、３３４…副音声２ｎ、４５１ａ…パックスタートコード、４５１ｂ…パケットスタートコード、４５２ａ…ＳＣＲ（Ｓｙｓｔｅｍ  Ｃｌｏｃｋ  Ｒｅｆｅｒｅｎｃｅ）、４５２ｂ…ストリームＩＤ、４５３ｂ…パケット長、４５４ｂ…ＰＴＳ（Ｐｒｅｓｅｎｔａｔｉｏｎ  Ｔｉｍｅ  Ｓｔａｍｐ）、４５５ｂ…スタッフィング領域、４５６ｂ…サブストリームＩＤ、４５７ｂ…フレーム情報、４５８ｂ…データ情報、５１１…音声データ入替部、５１２…ＲＤＩ→ＮＶ変換部、５１３…音声データ抽出部、５１４…ストリーム分離部、６２１…主音声１、６２２…副音声１、６２３…主音声ｎ、６２４…副音声ｎ、６３１…主音声（ｎ＋１）、６３２…副音声（ｎ＋１）、６３３…主音声２ｎ、６３４…副音声２ｎ。
【図１】
2006115247.tif 000003
【図２】
2006115247.tif 000004
【図３】
2006115247.tif 000005
【図４】
2006115247.tif 000006
【図５】
2006115247.tif 000007
【図６】
2006115247.tif 000008
【図７】
2006115247.tif 000009
【図８】
2006115247.tif 000010
【図９】
2006115247.tif 000011